(57)【要約】      （修正有）【課題】２つの隣接するセルが異なるＬＴＥ−ＴＤＤ構成を展開するとき第１のセルのアップリンクサブフレームが第２のセルのダウンリンクサブフレームと衝突する基地局間干渉を緩和する技術を提供する。【解決手段】基地局間干渉緩和技法では、第１のユーザ機器（ＵＥ）のアップリンク通信が基地局のダウンリンク通信からの干渉を経験するときを判断する。第１のＵＥのアップリンク通信は、干渉に基づいてスケジュールされる。アップリンク制御情報は、基地局のダウンリンク通信からの干渉を経験しないサブフレーム上にのみスケジュールされる。【選択図】図１０
2020014238.tif 000002
【特許請求の範囲】
【請求項１】
基地局のダウンリンク送信からの干渉を経験する第１のユーザ機器（ＵＥ）のアップリンク送信のためのサブフレームを識別することによって、前記第１のＵＥのアップリンク送信として受信されることの低減された尤度をもつサブフレームのセットを判断することと、前記第１のＵＥのアップリンク送信として受信されることの低減された尤度をもつ前記サブフレームは、前記基地局がＴＤＤ構成を切り替えるとき、前記第１のＵＥがサブフレームのアップリンクからダウンリンクへの切替えに気づいていることなしにアップリンクからダウンリンクに切り替わるサブフレームを含み、
サブフレームの前記判断されたセット以外のサブフレーム上にアップリンク制御情報（ＵＣＩ）をスケジュールすることによって前記第１のＵＥのアップリンク送信をスケジュールすることと
を備える、ワイヤレス通信の方法。
【請求項２】
前記アップリンク送信をスケジュールすることが前記干渉に少なくとも部分的に基づく、請求項１に記載の方法。
【請求項３】
サブフレームの前記セットを判断することが、アップリンクサブフレームとダウンリンクサブフレームとの間で切り替わる前記第１のＵＥのアップリンク送信のためのサブフレームを、アップリンク送信として受信されることの前記低減された尤度をもつサブフレームの前記セットとして識別することを備える、請求項１に記載の方法。
【請求項４】
前記スケジュールすることが、基地局のダウンリンク通信からの干渉を経験しないサブフレーム上にのみアップリンク制御情報をスケジュールすることを備える、請求項１に記載の方法。
【請求項５】
前記アップリンク制御情報が、ランクインジケータ（ＲＩ）、チャネル品質インジケータ（ＣＱＩ）、サウンディング基準信号（ＳＲＳ）、スケジューリング要求（ＳＲ）、および／または物理ランダムアクセスチャネル（ＰＲＡＣＨ）メッセージを備える、請求項１に記載の方法。
【請求項６】
前記ＰＲＡＣＨメッセージが、すべてのアップリンクＰＲＡＣＨメッセージまたはいくつかのアップリンクＰＲＡＣＨメッセージのみを備える、請求項５に記載の方法。
【請求項７】
基地局からの干渉を受けないアップリンクサブフレーム上に少なくともいくつかのＰＲＡＣＨリソースを有するＰＲＡＣＨ構成を選択することをさらに備える、請求項６に記載の方法。
【請求項８】
対応するスケジュールされた送信が、基地局からの干渉を受けないアップリンクサブフレーム上で送信されるように、ランダムアクセス応答をダウンリンクサブフレーム上にスケジュールすることをさらに備える、請求項６に記載の方法。
【請求項９】
競合解消の肯定応答（ＡＣＫ）メッセージが、基地局からの干渉を受けないアップリンクサブフレーム上で送信されるように、ＰＲＡＣＨプロセスの競合解消メッセージをダウンリンクサブフレーム上にスケジュールすることをさらに備える、請求項６に記載の方法。
【請求項１０】
基地局のダウンリンク送信からの干渉を経験する第１のユーザ機器（ＵＥ）のアップリンク送信のためのサブフレームを識別することによって、前記第１のＵＥのアップリンク送信として受信されることの低減された尤度をもつサブフレームのセットを判断するための手段と、前記第１のＵＥのアップリンク送信として受信されることの低減された尤度をもつ前記サブフレームは、前記基地局がＴＤＤ構成を切り替えるとき、前記第１のＵＥがサブフレームのアップリンクからダウンリンクへの切替えに気づいていることなしにアップリンクからダウンリンクに切り替わるサブフレームを含み、
サブフレームの前記判断されたセット以外のサブフレーム上にアップリンク制御情報（ＵＣＩ）をスケジュールすることによって前記第１のＵＥのアップリンク送信をスケジュールするための手段と
を備える、ワイヤレス通信のための装置。
【請求項１１】
サブフレームの前記セットを判断するための前記手段が、アップリンクサブフレームとダウンリンクサブフレームとの間で切り替わる前記第１のＵＥのアップリンク送信のためのサブフレームを、アップリンク送信として受信されることの前記低減された尤度をもつサブフレームの前記セットとして識別するための手段を備える、請求項１０に記載の装置。
【請求項１２】
スケジュールするための前記手段が、基地局のダウンリンク通信からの干渉を経験しないサブフレーム上にのみアップリンク制御情報をスケジュールするための手段を備える、請求項１０に記載の装置。
【請求項１３】
前記アップリンク制御情報が、ランクインジケータ（ＲＩ）、チャネル品質インジケータ（ＣＱＩ）、サウンディング基準信号（ＳＲＳ）、スケジューリング要求（ＳＲ）、および／または物理ランダムアクセスチャネル（ＰＲＡＣＨ）メッセージを備え、
前記ＰＲＡＣＨメッセージが、すべてのアップリンクＰＲＡＣＨメッセージまたはいくつかのアップリンクＰＲＡＣＨメッセージのみを備え、
スケジュールするための前記手段が、競合解消の肯定応答（ＡＣＫ）メッセージが、基地局からの干渉を受けないアップリンクサブフレーム上で送信されるように、ＰＲＡＣＨプロセスの競合解消メッセージをダウンリンクサブフレーム上にスケジュールするための手段をさらに備える、請求項１０に記載の装置。
【請求項１４】
サブフレームのセットを判断するための前記手段およびアップリンク送信をスケジュールするための前記手段が、メモリと、前記メモリに結合された少なくとも１つのプロセッサとを備える、請求項１０に記載の装置。
【請求項１５】
請求項１乃至９のうちの１つの前記方法のすべてのステップを実施するためのコンピュータ実行可能であるプログラム命令を備える、コンピュータプログラム。
【発明の詳細な説明】
【技術分野】
【０００１】
関連出願の相互参照
[0001]本出願は、その開示全体が参照により本明細書に明確に組み込まれる、２０１２年７月１９日に出願された米国仮特許出願第６１／６７３，６９９号の利益を主張する。本出願は、本出願の譲受人に譲渡され、その全体が参照により本明細書に明確に組み込まれる、２０１２年１１月８日に出願された同時係属米国出願第１３／６７２，４５８号（代理人整理番号１２０３９９）に関する。
【０００２】
[0002]本開示の態様は、一般にワイヤレス通信システムに関し、より詳細には、異なる時分割複信（ＴＤＤ：time division duplex）構成を用いてユーザ機器（ＵＥ）を多重化すること、ならびにＵＥ間（UE-to-UE）および基地局間（base station-to-base station）干渉を緩和することに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。
【０００５】
[0005]ＬＴＥ技術は、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。モバイルブロードバンドアクセスに対する増大する需要を満たすためだけでなく、モバイル通信のユーザエクスペリエンスを進化および向上させるためにもＬＴＥ技術を進化させる研究および開発が続けられている。
【発明の概要】
【０００６】
[0006]一態様では、ワイヤレス通信の方法が開示される。本方法は、第１のユーザ機器（ＵＥ）のアップリンク送信として受信されることの低減された尤度（reduced likelihood）をもつサブフレームのセットを判断することを含む。本方法はまた、サブフレームの判断されたセット以外のサブフレーム上にアップリンク制御情報（ＵＣＩ：uplink control information）をスケジュールすることによって第１のＵＥのアップリンク送信をスケジュールすることを含む。
【０００７】
[0007]別の態様では、ワイヤレス通信の方法が開示される。本方法は、第１のユーザ機器（ＵＥ）のダウンリンクデータ送信に対応するアップリンク肯定応答／否定応答（ＡＣＫ／ＮＡＣＫ）メッセージが基地局のダウンリンク通信からの干渉を経験するときを判断することを含む。本方法はまた、ダウンリンクデータ送信に対応する別のアップリンクＡＣＫ／ＮＡＣＫメッセージをトリガするために低減されたサイズのダウンリンク再送信（reduced size downlink retransmissions）を送信すること、またはアップリンク通信に関連するダウンリンクサブフレームに対してより遅い（later）ハイブリッド自動再送要求（ＨＡＲＱ：hybrid automatic repeat request）の終了を設定することのいずれかを含む。
【０００８】
[0008]別の態様では、ワイヤレス通信の方法が開示される。本方法は、第１の時分割複信（ＴＤＤ）構成で動作する第１のユーザ機器（ＵＥ）のアップリンク通信が、第１のＴＤＤ構成とは異なる第２のＴＤＤ構成で動作する第２のＵＥのアップリンク通信と衝突し得るときを判断することを含む。本方法はまた、干渉を回避するためにアップリンクリソースをスケジュールすることまたはマッピングすることを含む。
【０００９】
[0009]別の態様では、ワイヤレス通信の方法が開示される。本方法は、第１の時分割複信（ＴＤＤ）構成による第１のユーザ機器（ＵＥ）へのダウンリンク肯定応答（ＡＣＫ）リソースが、第１のＴＤＤ構成とは異なる第２のＴＤＤ構成による第２のＵＥへのダウンリンクＡＣＫリソースと干渉し得るときを判断することを含む。本方法はまた、干渉を回避するために、アップリンクデータリソースをスケジュールすること、または少なくとも１つのＵＥのＡＣＫ／ＮＡＣＫリソースのための新しいマッピングを定義することを含む。
【００１０】
[0010]別の態様では、ワイヤレス通信の方法が開示される。本方法は、基地局がそれらの間で切り替わるすべての時分割複信（ＴＤＤ）構成、または基地局がそれらの間で切り替わるすべてのＴＤＤ構成のサブセットについてアップリンクサブフレームであるサブフレームのみを備える物理ランダムアクセスチャネル（ＰＲＡＣＨ：physical random access channel）リソースを有するＰＲＡＣＨ構成を広告することを含む。
【００１１】
[0011]別の態様では、ワイヤレス通信の方法が開示される。本方法は、基地局がそれらの間で切り替わるすべてのＴＤＤ構成またはすべてのＴＤＤ構成のサブセットについてアップリンクであるサブフレームに当たる（fall on）物理ランダムアクセスチャネル（ＰＲＡＣＨ）リソースのみを使用するように、非レガシーＵＥの挙動を変更することを含む。
【００１２】
[0012]別の態様は、メモリと、メモリに結合された少なくとも１つのプロセッサとを有するワイヤレス通信装置を開示する。（１つまたは複数の）プロセッサは、第１のユーザ機器（ＵＥ）のアップリンク送信として受信されることの低減された尤度をもつサブフレームのセットを判断するように構成される。（１つまたは複数の）プロセッサはまた、サブフレームの判断されたセット以外のサブフレーム上にアップリンク制御情報（ＵＣＩ）をスケジュールすることによって第１のＵＥのアップリンク送信をスケジュールするように構成される。
【００１３】
[0013]別の態様では、非一時的コンピュータ可読媒体を有する、ワイヤレスネットワークにおけるワイヤレス通信のためのコンピュータプログラム製品が開示される。コンピュータ可読媒体は、（１つまたは複数の）プロセッサによって実行されたとき、（１つまたは複数の）プロセッサに、第１のユーザ機器（ＵＥ）のアップリンク送信として受信されることの低減された尤度をもつサブフレームのセットを判断する動作を実行させる、非一時的プログラムコードを記録している。プログラムコードはまた、（１つまたは複数の）プロセッサに、サブフレームの判断されたセット以外のサブフレーム上にアップリンク制御情報（ＵＣＩ）をスケジュールすることによって第１のＵＥのアップリンク送信をスケジュールさせる。
【００１４】
[0014]別の態様は、第１のユーザ機器（ＵＥ）のアップリンク送信として受信されることの低減された尤度をもつサブフレームのセットを判断するための手段を含む、ワイヤレス通信のための装置を開示する。本装置はまた、サブフレームの判断されたセット以外のサブフレーム上にアップリンク制御情報（ＵＣＩ）をスケジュールすることによって第１のＵＥのアップリンク送信をスケジュールするための手段を含む。
【００１５】
[0015]別の態様は、メモリと、メモリに結合された少なくとも１つのプロセッサとを有するワイヤレス通信装置を開示する。（１つまたは複数の）プロセッサは、第１のユーザ機器（ＵＥ）のダウンリンクデータ送信に対応するアップリンク肯定応答／否定応答（ＡＣＫ／ＮＡＣＫ）メッセージが基地局のダウンリンク通信からの干渉を経験するときを判断するように構成される。（１つまたは複数の）プロセッサはまた、ダウンリンクデータ送信に対応する別のアップリンクＡＣＫ／ＮＡＣＫメッセージをトリガするために低減されたサイズのダウンリンク再送信を送信すること、またはアップリンク通信に関連するダウンリンクサブフレームに対してより遅いハイブリッド自動再送要求（ＨＡＲＱ）の終了を設定することのいずれかを行うように構成される。
【００１６】
[0016]別の態様では、非一時的コンピュータ可読媒体を有する、ワイヤレスネットワークにおけるワイヤレス通信のためのコンピュータプログラム製品が開示される。コンピュータ可読媒体は、（１つまたは複数の）プロセッサによって実行されたとき、（１つまたは複数の）プロセッサに、第１のユーザ機器（ＵＥ）のダウンリンクデータ送信に対応するアップリンク肯定応答／否定応答（ＡＣＫ／ＮＡＣＫ）メッセージが基地局のダウンリンク通信からの干渉を経験するときを判断する動作を実行させる、非一時的プログラムコードを記録している。プログラムコードはまた、（１つまたは複数の）プロセッサに、ダウンリンクデータ送信に対応する別のアップリンクＡＣＫ／ＮＡＣＫメッセージをトリガするために低減されたサイズのダウンリンク再送信を送信すること、またはアップリンク通信に関連するダウンリンクサブフレームに対してより遅いハイブリッド自動再送要求（ＨＡＲＱ）の終了を設定することのいずれかを行わせる。
【００１７】
[0017]別の態様は、第１のユーザ機器（ＵＥ）のダウンリンクデータ送信に対応するアップリンク肯定応答／否定応答（ＡＣＫ／ＮＡＣＫ）メッセージが基地局のダウンリンク通信からの干渉を経験するときを判断するための手段を含む、ワイヤレス通信のための装置を開示する。本方法はまた、ダウンリンクデータ送信に対応する別のアップリンクＡＣＫ／ＮＡＣＫメッセージをトリガするために低減されたサイズのダウンリンク再送信を送信するための手段、またはアップリンク通信に関連するダウンリンクサブフレームに対してより遅いハイブリッド自動再送要求（ＨＡＲＱ）の終了を設定するための手段のいずれかを含む。
【００１８】
[0018]別の態様は、メモリと、メモリに結合された少なくとも１つのプロセッサとを有するワイヤレス通信装置を開示する。（１つまたは複数の）プロセッサは、第１の時分割複信（ＴＤＤ）構成で動作する第１のユーザ機器（ＵＥ）のアップリンク通信が、第１のＴＤＤ構成とは異なる第２のＴＤＤ構成で動作する第２のＵＥのアップリンク通信と衝突し得るときを判断するように構成される。（１つまたは複数の）プロセッサはまた、そのような干渉を回避するためにアップリンクリソースをスケジュールするかまたはマッピングするように構成される。
【００１９】
[0019]別の態様では、非一時的コンピュータ可読媒体を有する、ワイヤレスネットワークにおけるワイヤレス通信のためのコンピュータプログラム製品が開示される。コンピュータ可読媒体は、（１つまたは複数の）プロセッサによって実行されたとき、（１つまたは複数の）プロセッサに、第１の時分割複信（ＴＤＤ）構成で動作する第１のユーザ機器（ＵＥ）のアップリンク通信が、第１のＴＤＤ構成とは異なる第２のＴＤＤ構成で動作する第２のＵＥのアップリンク通信と衝突し得るときを判断する動作を実行させる、非一時的プログラムコードを記録している。プログラムコードはまた、（１つまたは複数の）プロセッサに、そのような干渉を回避するためにアップリンクリソースをスケジュールすることまたはマッピングすることを行わせる。
【００２０】
[0020]別の態様は、第１の時分割複信（ＴＤＤ）構成で動作する第１のユーザ機器（ＵＥ）のアップリンク通信が、第１のＴＤＤ構成とは異なる第２のＴＤＤ構成で動作する第２のＵＥのアップリンク通信と衝突し得るときを判断するための手段を含む、ワイヤレス通信のための装置を開示する。本装置はまた、そのような干渉を回避するためにアップリンクリソースをスケジュールまたはマッピングするための手段を含む。
【００２１】
[0021]別の態様は、メモリと、メモリに結合された少なくとも１つのプロセッサとを有するワイヤレス通信装置を開示する。（１つまたは複数の）プロセッサは、第１の時分割複信（ＴＤＤ）構成による第１のユーザ機器（ＵＥ）へのダウンリンク肯定応答（ＡＣＫ）リソースが、第１のＴＤＤ構成とは異なる第２のＴＤＤ構成による第２のＵＥへのダウンリンクＡＣＫリソースと衝突し得るときを判断するように構成される。（１つまたは複数の）プロセッサはまた、干渉を回避するために、アップリンクデータリソースをスケジュールするか、または少なくとも１つのＵＥのＡＣＫ／ＮＡＣＫリソースのための新しいマッピングを定義するように構成される。
【００２２】
[0022]別の態様では、非一時的コンピュータ可読媒体を有する、ワイヤレスネットワークにおけるワイヤレス通信のためのコンピュータプログラム製品が開示される。コンピュータ可読媒体は、（１つまたは複数の）プロセッサによって実行されたとき、（１つまたは複数の）プロセッサに、第１の時分割複信（ＴＤＤ）構成による第１のユーザ機器（ＵＥ）へのダウンリンク肯定応答（ＡＣＫ）リソースが、第１のＴＤＤ構成とは異なる第２のＴＤＤ構成による第２のＵＥへのダウンリンクＡＣＫリソースと衝突し得るときを判断する動作を実行させる、非一時的プログラムコードを記録している。プログラムコードはまた、（１つまたは複数の）プロセッサに、干渉を回避するために、アップリンクデータリソースをスケジュールすること、または少なくとも１つのＵＥのＡＣＫ／ＮＡＣＫリソースのための新しいマッピングを定義することを行わせる。
【００２３】
[0023]別の態様は、第１の時分割複信（ＴＤＤ）構成による第１のユーザ機器（ＵＥ）へのダウンリンク肯定応答（ＡＣＫ）リソースが、第１のＴＤＤ構成とは異なる第２のＴＤＤ構成による第２のＵＥへのダウンリンクＡＣＫリソースと衝突し得るときを判断するための手段を含む、ワイヤレス通信のための装置を開示する。本装置はまた、干渉を回避するために、アップリンクデータリソースをスケジュールするか、または少なくとも１つのＵＥのＡＣＫ／ＮＡＣＫリソースのための新しいマッピングを定義するための手段を含む。
【００２４】
[0024]別の態様は、メモリと、メモリに結合された少なくとも１つのプロセッサとを有するワイヤレス通信装置を開示する。（１つまたは複数の）プロセッサは、基地局がそれらの間で切り替わるすべての時分割複信（ＴＤＤ）構成、または基地局がそれらの間で切り替わるすべてのＴＤＤ構成のサブセットについてアップリンクサブフレームであるサブフレームのみを備える物理ランダムアクセスチャネル（ＰＲＡＣＨ）リソースを有するＰＲＡＣＨ構成を広告するように構成される。
【００２５】
[0025]別の態様では、非一時的コンピュータ可読媒体を有する、ワイヤレスネットワークにおけるワイヤレス通信のためのコンピュータプログラム製品が開示される。コンピュータ可読媒体は、（１つまたは複数の）プロセッサによって実行されたとき、（１つまたは複数の）プロセッサに、基地局がそれらの間で切り替わるすべての時分割複信（ＴＤＤ）構成、または基地局がそれらの間で切り替わるすべてのＴＤＤ構成のサブセットについてアップリンクサブフレームであるサブフレームのみを備える物理ランダムアクセスチャネル（ＰＲＡＣＨ）リソースを有するＰＲＡＣＨ構成を広告する動作を実行させる、非一時的プログラムコードを記録している。
【００２６】
[0026]別の態様は、基地局がそれらの間で切り替わるすべての時分割複信（ＴＤＤ）構成、または基地局がそれらの間で切り替わるすべてのＴＤＤ構成のサブセットについてアップリンクサブフレームであるサブフレームのみを備える物理ランダムアクセスチャネル（ＰＲＡＣＨ）リソースを有するＰＲＡＣＨ構成を判断するための手段を含む、ワイヤレス通信のための装置を開示する。本装置はまた、ＰＲＡＣＨ構成を広告するための手段を含む。
【００２７】
[0027]別の態様は、メモリと、メモリに結合された少なくとも１つのプロセッサとを有するワイヤレス通信装置を開示する。（１つまたは複数の）プロセッサは、基地局がそれらの間で切り替わるすべてのＴＤＤ構成またはすべてのＴＤＤ構成のサブセットについてアップリンクであるサブフレームに当たる物理ランダムアクセスチャネル（ＰＲＡＣＨ）リソースのみを使用するように、非レガシーＵＥの挙動を変更するように構成される。
【００２８】
[0028]別の態様では、非一時的コンピュータ可読媒体を有する、ワイヤレスネットワークにおけるワイヤレス通信のためのコンピュータプログラム製品が開示される。コンピュータ可読媒体は、（１つまたは複数の）プロセッサによって実行されたとき、（１つまたは複数の）プロセッサに、基地局がそれらの間で切り替わるすべてのＴＤＤ構成またはすべてのＴＤＤ構成のサブセットについてアップリンクであるサブフレームに当たる物理ランダムアクセスチャネル（ＰＲＡＣＨ）リソースのみを使用するように、非レガシーＵＥの挙動を変更する動作を実行させる、非一時的プログラムコードを記録している。
【００２９】
[0029]別の態様は、基地局がそれらの間で切り替わるすべての時分割複信（ＴＤＤ）構成、または基地局がそれらの間で切り替わるすべてのＴＤＤ構成のサブセットについてアップリンクサブフレームであるサブフレームに当たる物理ランダムアクセスチャネル（ＰＲＡＣＨ）リソースを判断するための手段を含む、ワイヤレス通信のための装置を開示する。本装置はまた、基地局がそれらの間で切り替わるすべてのＴＤＤ構成またはすべてのＴＤＤ構成のサブセットについてアップリンクであるサブフレームに当たるＰＲＡＣＨリソースのみを使用するように、非レガシーＵＥの挙動を変更するための手段を含む。
【００３０】
[0030]ここでは、以下の発明を実施するための形態がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００３１】
[0031]本開示の特徴、特性、および利点は、全体を通じて同様の参照符号が同様のものを指す図面とともに、以下に記載する発明を実施するための形態を読めばより明らかになろう。
【図面の簡単な説明】
【００３２】
【図１】[0032]ネットワークアーキテクチャの一例を示す図。
【図２】[0033]アクセスネットワークの一例を示す図。
【図３】[0034]ＬＴＥにおけるダウンリンクフレーム構造の一例を示す図。
【図４】[0035]ＬＴＥにおけるアップリンクフレーム構造の一例を示す図。
【図５】[0036]ユーザプレーンおよび制御プレーンのための無線プロトコルアーキテクチャの一例を示す図。
【図６】[0037]アクセスネットワーク中の発展型ノードＢ（ｅノードＢまたはｅＮＢ）およびユーザ機器の一例を示す図。
【図７】[0038]本開示の一態様による、物理ランダムアクセスチャネルプロセスを示すコールフロー図。
【図８】[0039]本開示の一態様による、基地局間干渉を示すブロック図。
【図９】[0040]本開示の一態様による、基地局間干渉を示すブロック図。
【図１０】[0041]本開示の一態様による、基地局間干渉を緩和するための方法を示すフロー図。
【図１１】[0042]本開示の一態様による、異なる時分割複信（ＴＤＤ）構成を用いてＵＥを多重化するための方法を示すフロー図。
【図１２】[0043]本開示の一態様による、基地局間干渉緩和システムを採用する装置のためのハードウェア実装形態の一例を示す図。
【発明を実施するための形態】
【００３３】
[0044]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００３４】
[0045]様々な装置および方法に関して電気通信システムの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課された設計制約に依存する。
【００３５】
[0046]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。
【００３６】
[0047]したがって、１つまたは複数の例示的な実施形態では、説明する機能は、ハードウェア、ソフトウェア、またはそれらの組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００３７】
[0048]図１は、本開示の一態様による、基地局間干渉緩和が実行され得る、ＬＴＥ／ＬＴＥアドバンスト（ＬＴＥ／−Ａ）ネットワークであり得る、ＬＴＥネットワークアーキテクチャ１００を示す図である。ＬＴＥおよびＬＴＥアドバンストは「ＬＴＥ」と総称される。ＬＴＥネットワークアーキテクチャ１００は発展型パケットシステム（ＥＰＳ：Evolved Packet System）１００と呼ばれることがある。ＬＴＥネットワークアーキテクチャ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービス（circuit-switched services）を提供するネットワークに拡張され得る。
【００３８】
[0049]Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、バックホール（backhaul）（たとえば、Ｘ２インターフェース）を介して他のｅノードＢ１０８に接続され得る。ｅノードＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、ネットブック、スマートブック、ウルトラブック、携帯情報端末（ＰＤＡ）、衛星ラジオ、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００３９】
[0050]ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラ（bearer）および接続管理を提供する。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、パケット交換ストリーミングサービス（ＰＳＳ：packet switched streaming service）とを含み得る。
【００４０】
[0051]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮｏｄｅＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関係機能を担当する。
【００４１】
[0052]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００４２】
[0053]ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグネチャ（spatial signatures）とともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００４３】
[0054]空間多重化は、概して、チャネル状態が良好であるときに使用される。チャネル状態があまり良好でないときは、送信エネルギーを１つまたは複数の方向に集中させる（focus）ためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００４４】
[0055]以下の詳細な説明では、アクセスネットワークの様々な態様について、ダウンリンク上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間される（are spaced apart）。離間（spacing）は、受信機がサブキャリアからデータを復元することを可能にする「直交性（orthogonality）」を与える。時間領域では、ＯＦＤＭシンボル間干渉（inter-OFDM-symbol interference）をなくすために、ガードインターバル（guard interval）（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００４５】
[0056]図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロック（ＲＢ）を含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００４６】
[0057]図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続サブキャリアのすべてを単一のＵＥに割り当てることを可能にし得る連続サブキャリアを含むデータセクションを生じる。
【００４７】
[0058]ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり（span）得、周波数上でホッピングし（hop）得る。
【００４８】
[0059]初期システムアクセスを実行し、物理ランダムアクセスチャネル（ＰＲＡＣＨ）４３０中でアップリンク同期を達成するためにリソースブロックのセットが使用され得る。ＰＲＡＣＨ４３０は、ランダムシーケンスを搬送し、いかなるアップリンクデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００４９】
[0060]図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１、レイヤ２、およびレイヤ３という３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００５０】
[0061]ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００５１】
[0062]ＰＤＣＰサブレイヤ５１４は、異なる無線ベアラと論理チャネルとの間で多重化を提供する。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを提供する。ＲＬＣサブレイヤ５１２は、上位レイヤデータパケットのセグメンテーションおよびリアセンブリ（reassembly）と、紛失データパケットの再送信と、ハイブリッド自動再送要求（ＨＡＲＱ）による、順が狂った受信（out-of-order reception）を補正するデータパケットの並べ替えとを提供する。ＭＡＣサブレイヤ５１０は、論理チャネルとトランスポートチャネルとの間の多重化を提供する。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００５２】
[0063]制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００５３】
[0064]図６は、アクセスネットワーク中でＵＥ６５０と通信しているｅノードＢ６１０のブロック図である。ダウンリンクでは、コアネットワークからの上位レイヤパケットがコントローラ／プロセッサ６７５に与えられる。コントローラ／プロセッサ６７５はＬ２レイヤの機能を実装する。ダウンリンクでは、コントローラ／プロセッサ６７５は、様々な優先度メトリックに基づいて、ヘッダ圧縮と、暗号化と、パケットセグメンテーションおよび並べ替えと、論理チャネルとトランスポートチャネルとの間の多重化と、ＵＥ６５０への無線リソース割振りとを提供する。コントローラ／プロセッサ６７５はまた、ＨＡＲＱ動作と、紛失パケットの再送信と、ＵＥ６５０へのシグナリングとを担当する。
【００５４】
[0065]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーション（signal constellations）へのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００５５】
[0066]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号コンスタレーションポイントを判断することによって復元され、復調される。これらの軟判定は、チャネル推定器６５８によって計算されるチャネル推定値に基づき得る。軟判定は、次いで、物理チャネル上でｅノードＢ６１０によって最初に送信されたデータおよび制御信号を復元するために復号され、デインターリーブされる。データおよび制御信号は、次いでコントローラ／プロセッサ６５９に与えられる。
【００５６】
[0067]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離（de-multiplexing）と、パケットリアセンブリと、復号（deciphering）と、ヘッダ復元（decompression）と、制御信号処理とを提供する。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００５７】
[0068]アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅノードＢ６１０によるダウンリンク送信に関して説明した機能と同様に、コントローラ／プロセッサ６５９は、ヘッダ圧縮と、暗号化と、パケットセグメンテーションおよび並べ替えと、ｅノードＢ６１０による無線リソース割振りに基づいた論理チャネルとトランスポートチャネルとの間の多重化とを提供することによって、ユーザプレーンおよび制御プレーンのためのＬ２レイヤを実装する。コントローラ／プロセッサ６５９はまた、ＨＡＲＱ動作と、紛失パケットの再送信と、ｅノードＢ６１０へのシグナリングとを担当する。
【００５８】
[0069]ｅノードＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００５９】
[0070]アップリンク送信は、ＵＥ６５０における受信機機能に関して説明した方法と同様の方法でｅノードＢ６１０において処理される。各受信機６１８ＲＸは、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００６０】
[0071]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを提供する。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００６１】
[0072]コントローラ／プロセッサ６７５およびコントローラ／プロセッサ６５９は、それぞれｅノードＢ６１０における動作およびＵＥ６５０における動作を指示し得る。ｅノードＢ６１０におけるコントローラ／プロセッサ６７５および／または他のプロセッサおよびモジュールは、本明細書で説明する技法のための様々なプロセスを実行するか、またはその実行を指示し得る。ＵＥ６５０におけるコントローラ／プロセッサ６５９および／または他のプロセッサおよびモジュールはまた、図１０〜図１１の方法フローチャート中の使用に示す機能ブロック、および／または基地局間干渉緩和を伴う説明する技法のための他のプロセスを実行するか、またはその実行を指示し得る。メモリ６７６および６６０は、それぞれｅノードＢ６１０およびＵＥ６５０のためのデータおよびプログラムコードを記憶し得る。
【００６２】
[0073]隣接通信スペクトル（neighboring communication spectrums）における単一の無線アクセス技術または異なる無線アクセス技術の通信が同時に動作しているとき、デバイス間の潜在的な干渉が発生し得る。たとえば、１つの通信デバイスが、別のデバイスが送信しているのと同時に通信を受信しようと試み、両方のデバイスが通信スペクトルの同じまたは近接した（proximate）部分を使用している場合、受信デバイスは干渉を経験し得る。干渉／衝突の別の例は、ＵＥが同じリソース（たとえば、時間／周波数／コード）を割り当てられるときである。
【００６３】
[0074]図７に、干渉につながり得る、本開示の一態様による物理ランダムアクセスチャネル（ＰＲＡＣＨ）プロセス７００を示す。時間１において、ランダムアクセスプリアンブルシグネチャがＵＥ（ユーザ機器）６５０によってランダムに選定される。ＵＥは、ｅノードＢ（発展型ノードＢ）６１０によってＰＲＡＣＨリソースとして事前指定された時間／周波数リソース上でランダムアクセスプリアンブルを送信する。時間２において、ランダムアクセス応答がＰＤＳＣＨ（物理ダウンリンク共有チャネル）上でｅノードＢ６１０によって送られ、ＩＤ（ＲＡ−ＲＮＴＩ（ランダムアクセス無線ネットワーク一時識別子：Random Access Radio Network Temporary Identifier））でアドレス指定される。ランダムアクセス応答は、プリアンブルが検出された時間周波数スロットを識別する。残念ながら、複数のＵＥ６５０が同じ時間／周波数リソース中で同じシグネチャを選択することによって衝突（すなわち、干渉）する場合、各ＵＥ６５０がＲＡＲ（ランダムアクセス応答：Random Access Response）を受信する。
【００６４】
[0075]図７にさらに示されているように、時間３において、ＵＥ６５０は、ＲＡＲ（ランダムアクセス応答）に応答して、ＰＵＳＣＨ（物理アップリンク共有チャネル）上で第１のスケジュールされたアップリンク送信を送信する。ＵＥ６５０が第１のスケジュールされたアップリンク送信を送るサブフレームは、ＲＡＲがＵＥ６５０によって受信されたサブフレームに従って判断される。時間４において、複数のＵＥ６５０が衝突し、ｅノードＢ６１０がそれらのスケジュールされた送信を復号することができない場合、ＵＥ６５０は、ＨＡＲＱ（ハイブリッド自動再送要求）送信の最大数に達した後にＰＲＡＣＨプロセスを再開する。衝突するスケジュールされた送信のうちの一方が復号され、他方が復号されない場合、ｅノードＢ６１０は、スケジュールされた送信中で示されたＣ−ＲＮＴＩ（セル無線ネットワーク一時識別子：Cell Radio Network Temporary Identifier）（または一時Ｃ−ＲＮＴＩ）にアドレス指定された（addressed）競合解消メッセージ（contention resolution message）を送信する。ＨＡＲＱフィードバックは、それ自体のＵＥ識別情報（またはＣ−ＲＮＴＩ）を検出したＵＥ６５０によってのみ送信される。他のＵＥ６５０は、無信号（silent）のままであり、ランダムアクセスプロシージャを抜ける（exit）。
【００６５】
[0076]ロングタームエボリューション（ＬＴＥ）−時分割複信（ＬＴＥ−ＴＤＤ）では、同じ通信スペクトルが、ＵＥ６５０からｅノードＢ６１０へのアップリンク送信とｅノードＢ６１０からＵＥ６５０へのダウンリンク送信の両方のために使用される。しかしながら、アップリンク送信とダウンリンク送信とは、ＵＥ６５０が受信するときとＵＥ６５０が送信するときとを協調させるために時間的に直交化される。以下の表１に、ＬＴＥにおいてサポートされる異なるＴＤＤ構成を示す。
【表１】
2020014238.tif 000003
【００６６】
[0077]ＬＴＥ−ＴＤＤでは、表１に示されているように、特定のサブフレームが、各アップリンク（ＵＬ）ダウンリンク（ＤＬ）構成についてアップリンク（ＵＬ）であるのか、ダウンリンク（ＤＬ）であるのか、スペシャル（Ｓ）サブフレームであるのかを識別する、７つの可能なＴＤＤ構成がある。ＲＡＮ１／ＲＡＮ４（無線アクセスネットワークレイヤ１／無線アクセスネットワークレイヤ４）では、「ＤＬ−ＵＬ干渉管理およびトラフィック適応のためのＬＴＥ  ＴＤＤへのさらなる拡張」（ｅＩＭＴＡ：Further Enhancements to LTE（登録商標） TDD for DL-UL Interference Management and Traffic Adaptation）に関するアクティブなリリース１１研究項目がある。ＴＤＤ  ｅＩＭＴＡ提案は、現在のトラフィック状態に基づくＬＴＥ−ＴＤＤ構成への適応的変更を規定している。再構成のための時間スケールは１０ミリ秒（ｍｓ）程度に小さいことがある。非レガシーＵＥ６５０およびｅノードＢ６１０は、提案に従ってそれらのＬＴＥ−ＴＤＤ構成を適応的に変更し得るが、レガシーＵＥ６５０は元のＬＴＥ−ＴＤＤ構成のままであることに留意されたい。場合によっては、これにより、レガシーＵＥ６５０が、実際はｅノードＢ６１０のためのダウンリンクサブフレームであるサブフレーム上で送信することになり、これは干渉につながり得る。
【００６７】
[0078]図８は、本開示の一態様による、基地局間干渉を示すブロック図８００である。以下の例は、２つの隣接する（adjacent）セルが異なるＬＴＥ−ＴＤＤ構成を展開するときの潜在的干渉問題を示す。たとえば、第１のセル（１）は第１の構成を展開し、隣接する第２のセル（２）は第２の構成を展開する。この例では、第１のセル１のアップリンクサブフレーム８０２は、第２のセル２のダウンリンクサブフレーム８０４と整合しない。その結果、第１のセル１のアップリンクサブフレーム８０２が第２のセル２のダウンリンクサブフレーム８０４と衝突するとき、基地局間干渉の可能性が発生する。
【００６８】
[0079]図９は、本開示の一態様による、基地局間干渉を示すブロック図９００である。この特定の例では、構成１に従って動作するｅノードＢが、図８に示したアップリンクサブフレーム８０２とダウンリンクサブフレーム８０４との間の衝突により、ｅノードＢ間干渉を受ける（sees）。図９に示すように、ＵＥ６５０−１とＵＥ６５０−２との間の不整合アップリンクおよびダウンリンクサブフレームが、ｅノードＢ６１０−１とｅノードＢ６１０−２との間のｅノードＢ間干渉をもたらす。
【００６９】
[0080]本開示の一態様は、基地局間干渉緩和技法を提供する。本開示のこの態様では、第１のユーザ機器（ＵＥ）のアップリンク通信が基地局のダウンリンク通信からの干渉を経験するときが判断される。一構成では、第１のＵＥのアップリンク通信は、干渉に基づいてスケジュールされる。たとえば、アップリンク制御情報は、基地局のダウンリンク通信からの干渉を経験しないサブフレーム上にのみスケジュールされ得る。これは、ＵＥまたはｅノードＢが、それが干渉を受けていることに気づいているときに行われ得る。制御情報は、限定はしないが、ランクインジケータ（ＲＩ：rank indicator）、チャネル品質インジケータ（ＣＱＩ：channel quality indicator）、サウンディング基準信号（ＳＲＳ：sounding reference signal）、スケジューリング要求（ＳＲ：scheduling request）、物理ランダムアクセスチャネル（ＰＲＡＣＨ）メッセージ、または他のリンク制御情報を含み得る。アップリンク通信として受信されることの低減された尤度をもつサブフレームは、たとえば、ｅノードＢがＴＤＤ構成を切り替えるとき、ＵＥが最初に切替えに気づいていることなしにアップリンクからダウンリンクに切り替わるサブフレームを含むことがある。
【００７０】
[0081]本開示の一態様は、いくつかのアップリンクサブフレームが（たとえば、それらのサブフレームを使用不可能にする）近隣（neighboring）基地局からの持続的干渉を受ける基地局間干渉を解決する。この例では、ＵＥからの対応するＡＣＫ／ＮＡＣＫ（肯定応答／否定応答）が失われることがアプリオリにわかっているダウンリンクサブフレームに対処するための改善が提供される。一態様では、肯定応答情報を受信する尤度を増加させるために低減されたサイズの再送信が採用される。別の態様では、ＵＥからの対応するＡＣＫ／ＮＡＣＫが失われることがアプリオリにわかっているダウンリンクサブフレームのためのより遅い終了がターゲットにされる。
【００７１】
[0082]別の態様では、ｅノードＢ間干渉による紛失アップリンクサブフレームをなくす（account for）ために、ランダムアクセスチャネル（ＲＡＣＨ）プロセスが再構成される。述べたように、ｅノードＢ間干渉を受けるアップリンクサブフレーム上で送信されたランダムアクセスプリアンブルは失われることになる。しかしながら、ＬＴＥ仕様は、いくつかの物理ランダムアクセスチャネル（ＰＲＡＣＨ）構成を提供している。この例では、すべてのＰＲＡＣＨリソースが、干渉を受けないアップリンクサブフレーム上にあるように、ＰＲＡＣＨ構成が選択される。この選択されたＰＲＡＣＨ構成は、図７に示されているＲＡＣＨプロセスにおいて遅延を低減するか、さらには最小限に抑えるはずである。
【００７２】
[0083]別の例では、ＵＥからのスケジュールされた送信が、ｅノードＢ間干渉を受けないアップリンクサブフレーム上で送られることを保証するために、ランダムアクセス応答にスケジューリング制限が課される。たとえば、ランダムアクセス応答がｎ番目のサブフレーム上で受信された場合、ＵＥは、アップリンク遅延フィールドが０に設定されるとき、時間ｎ＋ｋ（ｋ≧６）において第１のアップリンクサブフレームを使用する。そうではなく、アップリンク遅延フィールドが１に設定されるとき、ランダムアクセス応答は次の利用可能なアップリンクサブフレームまで延期される。したがって、ランダムアクセス応答が送信されるサブフレームを選択することによって、およびアップリンク遅延フィールドを制御することによって、ｅノードＢは、スケジュールされた送信のためにＵＥによってどのアップリンクサブフレームが使用されるかを制御することができる。
【００７３】
[0084]場合によっては、０に設定されたアップリンク遅延フィールドは、ｅノードＢ間干渉があるアップリンクサブフレームの使用につながり得、１に設定されたアップリンク遅延フィールドは、ｅノードＢ間干渉がないアップリンクサブフレームの使用につながり得る。同様に、アップリンク遅延フィールドの所与の選定について、使用されるアップリンクサブフレームは、ランダムアクセス応答が送られるダウンリンクサブフレームに応じて、ｅノードＢ間干渉を受けることも受けないこともある。別の例では、ＵＥからのＡＣＫ応答が、干渉を受けないアップリンクサブフレーム上にあるように、競合解消をスケジュールすることに制限が課される。
【００７４】
[0085]ＴＤＤ  ｅＩＭＴＡの場合にも、まったく同様のＲＡＣＨ問題が発生し、ＵＥは、それらのＬＴＥ−ＴＤＤ構成の下ではアップリンクサブフレーム上でＰＲＡＣＨメッセージを送信することを防止すべきであるが、ｅノードＢが切り替わり得るＬＴＥ−ＴＤＤ構成の下では潜在的にダウンリンクサブフレームであり得る。レガシーＵＥは、ｅノードＢがそれらの間で切り替わり得るＬＴＥ−ＴＤＤ構成のセットに気づいていない。この例では、新しい（たとえば、非レガシー）ＵＥは、ｅノードＢがそれらの間で切り替わるＬＴＥ−ＴＤＤ構成のこのセットに気づいていると仮定される。たとえば、ＬＴＥ−ＴＤＤ構成のセットは、個別のシグナリングを通して新しいＵＥに通信され得る。
【００７５】
[0086]レガシーＵＥの場合、本開示の一態様は、すべてのＰＲＡＣＨリソースが、ｅノードＢがそれらの間で切り替わる構成の全セットについてアップリンクであるサブフレーム上にあるように、ｅノードＢがＰＲＡＣＨ構成を選択することを指定する。この構成は、前に説明したｅノードＢ間干渉を緩和するための対応する構成よりも厳重である（stringent）ことに留意されたい。この構成では、すべてのＰＲＡＣＨリソースがアップリンクサブフレームの特定のセットに制限されるが、ｅノードＢ間干渉事例では、少なくとも１つのＰＲＡＣＨリソースが、ｅノードＢ間干渉を受けないアップリンクサブフレームの特定のセットに属することのみが保証される。
【００７６】
[0087]非レガシーＵＥの場合、本開示の別の態様は、すべてのＰＲＡＣＨリソースが、ｅノードＢがそれらの間で切り替わる構成の全セット（またはサブセット）についてアップリンクであるサブフレーム上にあるように、新しいＰＲＡＣＨ構成を指定する。これらの新しい構成のうちの１つがＵＥにシグナリングされる（既存のＰＲＡＣＨ構成に制限されるときよりも多くのＰＲＡＣＨリソースの潜在的割振りが可能になる）。非レガシーＵＥの場合、別の態様は、特定のＰＲＡＣＨ構成の下で利用可能なＰＲＡＣＨリソースのうち、ＵＥが、ｅノードＢがそれらの間で切り替わるすべてのＴＤＤ構成（またはすべてのＴＤＤ構成のサブセット）についてアップリンクであるか、またはそのときｅノードＢによって使用されている構成においてアップリンクサブフレームであるサブフレームに当たるＰＲＡＣＨリソースのみを使用するように、ＵＥ動作への変更を指定する。
【００７７】
[0088]本開示の一態様は、（ランダムアクセス応答に応答して）スケジュールされた送信および競合解消のためのＡＣＫもアップリンクサブフレーム上で送られることを保証する。レガシーＵＥの場合、一態様は、対応するスケジュールされた送信および競合解消のためのＡＣＫが、ｅノードＢがそれらの間で切り替わり得るＴＤＤ構成の全セット（またはＴＤＤ構成のサブセット）についてアップリンクであるサブフレーム上で送信されるように、ランダムアクセス応答および競合解消メッセージをダウンリンクサブフレーム上にスケジュールすることを指定する。新しいＵＥの場合、１つの構成は、スケジュールされた送信および競合解消に対応するＡＣＫが、ｅノードＢがそれらの間で切り替わるすべてのＬＴＥ−ＴＤＤ構成（またはすべてのＴＤＤ構成のサブセット）についてアップリンクであるサブフレーム上で送信されるように、それらの送信およびＡＣＫのための新しいタイムラインを指定する。
【００７８】
[0089]図１０に、本開示の一態様による、基地局間干渉を緩和するための方法１０００を示す。ブロック１０１０において、第１のユーザ機器（ＵＥ）のアップリンク送信として受信されることの低減された尤度をもつサブフレームのセットが判断される。たとえば、異なる時分割複信（ＴＤＤ）構成を展開する２つの隣接するセルは、たとえば、表１に示されているように、指定されたＴＤＤ構成から生じるアップリンク（ＵＬ）およびダウンリンク（ＤＬ）不整合がある共通サブフレームを有し得る。代替的に、第１のＵＥのアップリンク送信は基地局のダウンリンク送信からの干渉を経験し得る。ブロック１０１２において、サブフレームの判断されたセット以外のサブフレーム上にアップリンク制御情報（ＵＣＩ）をスケジュールすることによって第１のＵＥのアップリンク送信がスケジュールされる。第１のＵＥのアップリンク通信は、その干渉に基づいてスケジュールされ得る。たとえば、アップリンク制御情報は、基地局のダウンリンク通信からの干渉を経験しないサブフレーム上にのみスケジュールされ得る。アップリンク制御情報は、限定はしないが、ランクインジケータ（ＲＩ）、チャネル品質インジケータ（ＣＱＩ）、サウンディング基準信号（ＳＲＳ）、スケジューリング要求（ＳＲ）、物理ランダムアクセスチャネル（ＰＲＡＣＨ）メッセージ、または他のリンク制御情報を含み得る。
【００７９】
[0090]別の態様では、少なくともいくつかの物理ランダムアクセスチャネル（ＰＲＡＣＨ）リソースが、基地局からの干渉を受けないアップリンクサブフレーム上にあるように、ＰＲＡＣＨ構成が選択される。この態様では、対応するスケジュールされた送信および競合解消の肯定応答（ＡＣＫ）が、基地局からの干渉を受けないアップリンクサブフレーム上で送信されるように、ランダムアクセス応答およびＰＲＡＣＨプロセスの競合解消メッセージがダウンリンクサブフレーム上にスケジュールされる。
【００８０】
[0091]異なるＴＤＤ構成をもつＵＥは、１つのセル中に共存することができ、互いに干渉することを回避するために慎重に多重化されるべきである。ｅノードＢ実装形態は、概して、同じ構成を使用するＵＥ間のアップリンクチャネル衝突に対処するように設計される。本開示の一態様は、異なるＴＤＤ構成を使用するＵＥにわたる衝突を克服する。たとえば、アップリンクＡＣＫ衝突は、異なるダウンリンクサブフレーム上の物理ダウンリンク共有チャネル（ＰＤＳＣＨ）に対応するＡＣＫ／ＮＡＣＫが、同じアップリンクサブフレームおよび潜在的に同じリソース上で送られるときに発生し得る。一態様では、このシナリオは、ＵＥ固有パラメータを使用して、物理アップリンク制御チャネル（ＰＵＣＣＨ）のためにレガシーＵＥによって使用されるリソースと新しいＵＥによって使用されるリソースとを（たとえば、ＴＤＭ（時分割多重化）および／またはＦＤＭ（周波数分割多重化）を使用して）直交化することによって回避される。たとえば、新しいＵＥのためのアップリンクＡＣＫとレガシーＵＥのためのアップリンクＡＣＫとは、異なるＰＵＣＣＨオフセットを使用することによってリソースブロックの異なるセット上で送られ得る。代替態様は、新しいＵＥのためのＰＵＣＣＨに対して新しいマッピングを定義する。たとえば、ＡＣＫは、ＰＤＣＣＨ内のサブフレームとロケーションとに基づき得る。一例では、ＡＣＫはサブフレーム番号（ｎ）＋５に基づく。別の例では、どのリソースブロック（ＲＢ）を使用すべきかは、サブフレーム内のロケーションに基づく。
【００８１】
[0092]本開示の別の態様は、ダウンリンクＡＣＫ衝突を克服する。たとえば、ダウンリンクＡＣＫ衝突は、異なるアップリンクサブフレームに対応するＡＣＫ／ＮＡＣＫが同じダウンリンクサブフレームおよび潜在的に同じリソース上で送られるときに発生し得る。一態様では、ＡＣＫ衝突を防止するために、ＤＭ−ＲＳ（復調基準信号：Demodulation Reference Signal）シーケンス割当てならびにリソースブロック割当てがｅノードＢスケジューラにおいて慎重に計画される。すなわち、スケジューリングが衝突を回避する。この態様は、ＬＴＥ仕様への変更を伴わない。代替態様は、新しいＵＥのためのＰＨＩＣＨ（物理ＨＡＲＱインジケータチャネル：physical HARQ indicator channel）に対して新しいマッピングを指定する。一例では、新しいマッピングは、規格の現行バージョンにおけるパラメータＩPHICHと同様であり、ここで、ＩPHICHは、現在のＬＴＥ仕様において許されるよりも大きい数の値をとることができる。たとえば、より多くのＰＨＩＣＨリソースが、システムにおいて使用するために構成され得、既存のＩPHICH機構が追加のＰＨＩＣＨリソースに対処することができる。代替的に、構成０以外のＴＤＤ構成の場合、ＩPHICHは、０でない値をとることができ、ＴＤＤ構成０におけるサブフレーム４および９以外のサブフレームに関するＩPHICHは、０でない値をとることができ、ＴＤＤ構成０におけるサブフレーム４および９に対応するＩPHICHは、２よりも大きいかまたはそれに等しい値をとることができる。たとえば、０以外の構成の場合、ＩPHICHは１であり得、構成０におけるサブフレーム０、１、２、３、５、６、７、および８に対応するＩPHICHは１であり得、構成０におけるサブフレーム４および９に対応するＩPHICHは２であり得る。
【００８２】
[0093]本開示のまた別の態様はアップリンクデータ衝突を克服する。たとえば、第１の構成を使用するＵＥのアップリンク許可（ＰＤＣＣＨ（物理ダウンリンク制御チャネル：Physical Downlink Control Channel））によってスケジュールされた第１の送信またはＮＡＣＫ（ＰＨＩＣＨ（物理ＨＡＲＱインジケータチャネル））によってトリガされた再送信は、異なる構成を使用するＵＥの第１の送信／再送信と衝突し得る。一態様では、アップリンク許可は、第２の構成を使用するＵＥの第１のＰＵＳＣＨ送信とともに、第１の構成を使用するＵＥのＰＵＳＣＨ第１の送信を回避するように指定される。たとえば、同じダウンリンクサブフレーム上で送られた許可が特定のアップリンクサブフレーム上でＰＵＳＣＨ衝突を生じるとき、ＬＴＥリリース８動作の場合と同じ制約が適用され得る。異なるＵＥのために異なるダウンリンクサブフレーム上で送られた許可が特定のアップリンクサブフレーム上でＰＵＳＣＨ衝突を生じる場合、一態様は、アップリンク許可を含んでいる第１のダウンリンクサブフレームの前の、すべてのＵＥのためのスケジューリング決定を指定する。
【００８３】
[0094]本開示の別の態様は、少なくとも１つのＵＥに対してＡＣＫおよびＳＵＳＰＥＮＤコマンドを指定することによって、１つのＵＥのＰＵＳＣＨ再送信が（異なるＴＤＤ構成を使用する）第２のＵＥのＰＵＳＣＨ再送信と衝突することを回避する。すなわち、データが再送信されないようにＡＣＫが送られる。後で、データを再送させるためにアップリンク許可が発行される。たとえば、ｅノードＢは、ＡＣＫが最初に送られるＵＥを中断しないことを優先させ（prioritize）得る。衝突が発生するときに関する決定は、両方のＵＥについての復号ステータスが、いずれかのＵＥのためのＡＣＫ／ＮＡＣＫを送るという決定の前に利用可能である場合、可能である。衝突が発生すると判断された場合、ｅノードＢはＵＥのうちの１つを中断し得る。一態様では、送信が中断されるＵＥは、２つのＵＥのトラフィック状態（たとえば、ＱｏＳ（サービス品質）レベル）に基づく。別の態様は、広告された構成が真の構成であるのか、真の構成よりも多くのアップリンクサブフレームをもつ構成であるのかに応じて、レガシーＵＥを新しいＵＥよりも優先させ得る。
【００８４】
[0095]別の態様は、第１のＵＥの第１のＰＵＳＣＨ送信が（たとえば、異なるＬＴＥ−ＴＤＤ構成を使用する）第２のＵＥのＰＵＳＣＨ再送信と衝突することを回避する。たとえば、ＰＵＳＣＨ衝突は、第２のＵＥの肯定応答および再送信中断によって回避され得る。代替的に、ｅノードＢは、第１のＵＥのためのアップリンク許可をスケジュールすることを回避し得る。代替的に、ｅノードＢは、上記で説明したものと同様の基準を使用することによって、どのＵＥを停止すべきかを判断し得る。たとえば、ｅノードＢは、ＡＣＫを含んでいるダウンリンクサブフレームが、許可を含んでいるサブフレームの前にあるのか後にあるのか、ＵＥが新しいＵＥであるのかレガシーＵＥであるのか、ストリームのＱｏＳ、または他の同様の中断基準に基づいて、どのＵＥを停止すべきかを判断し得る。
【００８５】
[0096]図１１に、本開示の態様による、異なる時分割複信（ＴＤＤ）構成を用いてＵＥを多重化するための方法１１００を示す。ブロック１１１０において、第１のＴＤＤ構成に基づいて動作する第１のＵＥへのダウンリンク肯定応答（ＡＣＫ）リソースが第２のＵＥへのダウンリンクＡＣＫリソースと衝突し得るときが判断される。第２のＵＥは、第２のＴＤＤ構成に基づいて動作する。この態様では、第２のＴＤＤ構成は第１のＴＤＤ構成とは異なる。ブロック１１１２において、干渉を回避するためにアップリンクデータリソースがスケジュールされる。代替的に、干渉を回避するために、少なくとも１つのＵＥのＡＣＫ／ＮＡＣＫリソースのための新しいマッピングが定義される。
【００８６】
[0097]図１２は、本開示の一態様による、基地局間干渉緩和システム１２１４を採用する装置１２００のためのハードウェア実装形態の一例を示す図である。基地局間干渉緩和システム１２１４は、バス１２２４によって概略的に表されるバスアーキテクチャを用いて実装され得る。バス１２２４は、基地局間干渉緩和システム１２１４の特定の適用例および全体的な設計制約に応じて、任意の数の相互接続バスおよびブリッジを含み得る。バス１２２４は、プロセッサ１２２６、判断モジュール１２０２、適応的スケジューリングモジュール１２０４、およびコンピュータ可読媒体１２２８によって表される、１つまたは複数のプロセッサおよび／またはハードウェアモジュールを含む様々な回路を互いにリンクする。バス１２２４はまた、タイミングソース（timing sources）、周辺機器、電圧調整器、および電力管理回路など、様々な他の回路をリンクし得るが、これらの回路は当技術分野においてよく知られており、したがって、これ以上説明しない。
【００８７】
[0098]本装置は、トランシーバ１２２２に結合された基地局間干渉緩和システム１２１４を含む。トランシーバ１２２２は１つまたは複数のアンテナ１２２０に結合される。トランシーバ１２２２は、伝送媒体を介して様々な他の装置と通信するための手段を与える。基地局間干渉緩和システム１２１４は、コンピュータ可読媒体１２２８に結合されたプロセッサ１２２６を含む。プロセッサ１２２６は、コンピュータ可読媒体１２２８に記憶されたソフトウェアの実行を含む一般的な処理を担当する。ソフトウェアは、プロセッサ１２２６によって実行されたとき、基地局間干渉緩和システム１２１４に、特定の装置のための上記で説明した様々な機能を実行させる。コンピュータ可読媒体１２２８はまた、ソフトウェアを実行するときにプロセッサ１２２６によって操作されるデータを記憶するために使用され得る。
【００８８】
[0099]基地局間干渉緩和システム１２１４は、たとえば、第１のユーザ機器（ＵＥ）のアップリンク通信が基地局のダウンリンク通信からの干渉を経験するときを判断するための判断モジュール１２０２をさらに含む。基地局間干渉緩和システム１２１４は、たとえば、干渉に基づいて第１のＵＥのアップリンク通信をスケジュールするための適応的スケジューリングモジュール１２０４をさらに含む。判断モジュール１２０２および適応的スケジューリングモジュール１２０４は、プロセッサ１２２６中で動作するか、コンピュータ可読媒体１２２８中に常駐する／記憶されたソフトウェアモジュールであるか、プロセッサ１２２６に結合された１つまたは複数のハードウェアモジュールであるか、またはそれらの組合せであり得る。基地局間干渉緩和システム１２１４はｅノードＢ６１０および／またはＵＥ６５０の構成要素であり得る。
【００８９】
[00100]一態様では、ワイヤレス通信のための装置１２００は、判断するための手段とスケジュールするための手段とを含む。本手段は、判断手段とスケジューリング手段とによって具陳された（recited）機能を実行するように構成された装置１２００の判断モジュール１２０２、適応的スケジューリングモジュール１２０４および／または基地局間干渉緩和システム１２１４であり得る。本開示の一態様では、判断手段は、判断手段によって具陳された機能を実行するように構成されたコントローラ／プロセッサ６７５および／またはメモリ６７６であり得る。本開示のこの態様では、スケジューリング手段は、スケジューリング手段によって具陳された機能を実行するように構成されたコントローラ／プロセッサ６７５および／またはメモリ６７６であり得る。本開示の別の態様では、判断手段は、判断手段によって具陳された機能を実行するように構成されたコントローラ／プロセッサ６５９および／またはメモリ６６０であり得る。本開示のこの態様では、スケジューリング手段は、スケジューリング手段によって具陳された機能を実行するように構成されたコントローラ／プロセッサ６５９および／またはメモリ６６０であり得る。また別の態様では、上述の手段は、上述の手段によって具陳された機能を実行するように構成された任意のモジュールまたは任意の装置であり得る。
【００９０】
[00101]上記の例は、ＬＴＥシステムにおいて実装される態様について説明するものである。ただし、本開示の範囲はそのように限定されない。様々な態様は、限定はしないが、ＣＤＭＡシステム、ＴＤＭＡシステム、ＦＤＭＡシステム、およびＯＦＤＭＡシステムを含む様々な通信プロトコルのいずれかを採用した通信システムなど、他の通信システムとともに使用するように適応され得る。
【００９１】
[00102]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。その上、「または」という用語は、排他的な「または」ではなく、包括的な「または」を意味するものとする。すなわち、別段に規定されていない限り、または文脈から明らかでない限り、「ＸはＡまたはＢを採用する」というフレーズは、自然包括的置換のいずれかを意味するものとする。すなわち、「ＸはＡまたはＢを採用する」というフレーズは、ＸがＡを採用する場合、ＸがＢを採用する場合、またはＸがＡとＢの両方を採用する場合のいずれによっても満たされる。さらに、本出願および添付の特許請求の範囲で使用する冠詞「ａ」および「ａｎ」は、別段に規定されていない限り、または単数形を示すことが文脈から明白でない限り、概して「１つまたは複数」を意味するものと解釈されるべきである。
【００９２】
[00103]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９３】
[00104]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、ＰＣＭ（相変化メモリ）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００９４】
[00105]１つまたは複数の例示的な設計では、説明した機能は、ハードウェア、ソフトウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびＢｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００９５】
[00106]本開示についての以上の説明は、いかなる当業者も本開示を作成または使用することができるようにするために提供したものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
第１のユーザ機器（ＵＥ）のアップリンク送信として受信されることの低減された尤度をもつサブフレームのセットを判断することと、
サブフレームの前記判断されたセット以外のサブフレーム上にアップリンク制御情報（ＵＣＩ）をスケジュールすることによって前記第１のＵＥのアップリンク送信をスケジュールすることと
を備える、ワイヤレス通信の方法。
［Ｃ２］
サブフレームの前記セットを判断することが、基地局のダウンリンク送信からの干渉を経験する前記第１のＵＥのアップリンク送信のためのサブフレームを、アップリンク送信として受信されることの前記低減された尤度をもつサブフレームの前記セットとして識別することを備える、Ｃ１に記載の方法。
［Ｃ３］
前記アップリンク送信をスケジュールすることが前記干渉に少なくとも部分的に基づく、Ｃ２に記載の方法。
［Ｃ４］
サブフレームの前記セットを判断することが、アップリンクサブフレームとダウンリンクサブフレームとの間で切り替わる前記第１のＵＥのアップリンク送信のためのサブフレームを、アップリンク送信として受信されることの前記低減された尤度をもつサブフレームの前記セットとして識別することを備える、Ｃ１に記載の方法。
［Ｃ５］
前記スケジュールすることが、基地局のダウンリンク通信からの干渉を経験しないサブフレーム上にのみアップリンク制御情報をスケジュールすることを備える、Ｃ１に記載の方法。
［Ｃ６］
前記アップリンク制御情報が、ランクインジケータ（ＲＩ）、チャネル品質インジケータ（ＣＱＩ）、サウンディング基準信号（ＳＲＳ）、スケジューリング要求（ＳＲ）、および／または物理ランダムアクセスチャネル（ＰＲＡＣＨ）メッセージを備える、Ｃ１に記載の方法。
［Ｃ７］
前記ＰＲＡＣＨメッセージが、すべてのアップリンクＰＲＡＣＨメッセージまたはいくつかのアップリンクＰＲＡＣＨメッセージのみを備える、Ｃ６に記載の方法。
［Ｃ８］
基地局からの干渉を受けないアップリンクサブフレーム上に少なくともいくつかのＰＲＡＣＨリソースを有するＰＲＡＣＨ構成を選択することをさらに備える、Ｃ７に記載の方法。
［Ｃ９］
対応するスケジュールされた送信が、基地局からの干渉を受けないアップリンクサブフレーム上で送信されるように、ランダムアクセス応答をダウンリンクサブフレーム上にスケジュールすることをさらに備える、Ｃ７に記載の方法。
［Ｃ１０］
競合解消の肯定応答（ＡＣＫ）メッセージが、基地局からの干渉を受けないアップリンクサブフレーム上で送信されるように、ＰＲＡＣＨプロセスの競合解消メッセージをダウンリンクサブフレーム上にスケジュールすることをさらに備える、Ｃ７に記載の方法。
［Ｃ１１］
第１のユーザ機器（ＵＥ）のダウンリンクデータ送信に対応するアップリンク肯定応答／否定応答（ＡＣＫ／ＮＡＣＫ）メッセージが基地局のダウンリンク通信からの干渉を経験するときを判断することと、
前記ダウンリンクデータ送信に対応する別のアップリンクＡＣＫ／ＮＡＣＫメッセージをトリガするために低減されたサイズのダウンリンク再送信を送信すること、または
アップリンク通信に関連するダウンリンクサブフレームに対してより遅いハイブリッド自動再送要求（ＨＡＲＱ）終了を設定することのいずれかと
を備える、ワイヤレス通信の方法。
［Ｃ１２］
第１の時分割複信（ＴＤＤ）構成で動作する第１のユーザ機器（ＵＥ）のアップリンク通信が、前記第１のＴＤＤ構成とは異なる第２のＴＤＤ構成で動作する第２のＵＥのアップリンク通信と衝突し得るときを判断することと、
干渉を回避するためにアップリンクリソースをスケジュールすることまたはマッピングすることと
を備える、ワイヤレス通信の方法。
［Ｃ１３］
前記スケジュールすることが、干渉を回避するために、異なるＴＤＤ構成で動作するＵＥに個別のアップリンク肯定応答／否定応答（ＡＣＫ／ＮＡＣＫ）リソースを割り振ることを備える、Ｃ１２に記載の方法。
［Ｃ１４］
前記スケジュールすることが、前記異なるＴＤＤ構成で動作するＵＥのための異なる物理アップリンク制御チャネル（ＰＵＣＣＨ）オフセット値を個別のＡＣＫ／ＮＡＣＫリソースに割り当てることを備える、Ｃ１３に記載の方法。
［Ｃ１５］
ダウンリンクデータ送信に対応するＡＣＫリソースへの少なくとも２つの異なるマッピングが定義され、前記２つの異なるマッピングのうちの少なくとも１つが、前記第２のＴＤＤ構成との干渉を回避する、Ｃ１２に記載の方法。
［Ｃ１６］
使用すべきマッピングを前記第１のＵＥにシグナリングすることをさらに備える、Ｃ１５に記載の方法。
［Ｃ１７］
前記第１のＵＥのアップリンクデータ送信と前記第２のＵＥのアップリンクデータ送信間の干渉を回避するために送信または再送信を中断することをさらに備える、Ｃ１２に記載の方法。
［Ｃ１８］
アップリンク許可を送らないことによって初期送信を中断することをさらに備える、Ｃ１７に記載の方法。
［Ｃ１９］
前記ＵＥのＡＣＫメッセージが最初に送信されるのか許可が最初に送信されるのか、前記ＵＥが経験するトラフィック状態、前記ＵＥによって仮定された構成が基地局によって使用された構成であるかどうか、および／または前記ＵＥがレガシーＵＥであるかどうか、に少なくとも部分的に基づいて、どのＵＥが中断されるかに優先度を付けることをさらに備える、Ｃ１８に記載の方法。
［Ｃ２０］
正常に復号されなかったアップリンク送信に対応する再送信を中断するために、前記第１のＵＥにＡＣＫメッセージを送ることをさらに備える、Ｃ１７に記載の方法。
［Ｃ２１］
前記ＵＥのＡＣＫメッセージが最初に送信されるのか許可が最初に送信されるのか、前記ＵＥが経験するトラフィック状態、前記ＵＥによって仮定された構成が基地局によって使用された前記構成であるかどうか、および／または前記ＵＥがレガシーＵＥであるかどうか、に少なくとも部分的に基づいて、どのＵＥが中断されるかに優先度を付けることをさらに備える、Ｃ２０に記載の方法。
［Ｃ２２］
第１の時分割複信（ＴＤＤ）構成による第１のユーザ機器（ＵＥ）へのダウンリンク肯定応答（ＡＣＫ）リソースが、前記第１のＴＤＤ構成とは異なる第２のＴＤＤ構成による第２のＵＥへのダウンリンクＡＣＫリソースと干渉し得るときを判断することと、
干渉を回避するために、アップリンクデータリソースをスケジュールすること、または少なくとも１つのＵＥのＡＣＫ／ＮＡＣＫリソースのための新しいマッピングを定義することと
を備える、ワイヤレス通信の方法。
［Ｃ２３］
前記アップリンクデータリソースが復調基準信号（ＤＭ−ＲＳ）シーケンスおよび／または割り振られたリソースブロック（ＲＢ）を備える、Ｃ２２に記載の方法。
［Ｃ２４］
前記アップリンクデータリソースがＩPHICHパラメータを備え、前記ＩPHICHパラメータがとる値の量が、通信仕様によって規定された値の数を超える、Ｃ２２に記載の方法。［Ｃ２５］
基地局がそれらの間で切り替わるすべての時分割複信（ＴＤＤ）構成、または前記基地局がそれらの間で切り替わるすべての前記ＴＤＤ構成のサブセットについてアップリンクサブフレームであるサブフレームのみを備える物理ランダムアクセスチャネル（ＰＲＡＣＨ）リソースを有するＰＲＡＣＨ構成を広告すること
を備える、ワイヤレス通信の方法。
［Ｃ２６］
前記ＰＲＡＣＨ構成がレガシーユーザ機器（ＵＥ）において利用不可能である、Ｃ２５に記載の方法。
［Ｃ２７］
対応するスケジュールされた送信およびＰＲＡＣＨプロセスの競合解消メッセージに対する肯定応答（ＡＣＫ）メッセージが、基地局がそれらの間で切り替わる時分割複信（ＴＤＤ）構成の全セット、または前記基地局がそれらの間で切り替わるＴＤＤ構成の全セットのサブセットについてアップリンクサブフレームであるサブフレーム上で送信されるように、ランダムアクセス応答および前記競合解消メッセージをダウンリンクサブフレーム上にスケジュールすること、あるいは
前記スケジュールされた送信と前記競合解消メッセージの前記ＡＣＫメッセージとのための新しいタイムラインを定義すること、前記新しいタイムラインは、前記基地局がそれらの間で切り替わるＴＤＤ構成の前記全セット、または前記基地局がそれらの間で切り替わるＴＤＤ構成の前記全セットのサブセットについてアップリンクサブフレームであるサブフレーム上での送信を含む、のいずれか
をさらに備える、Ｃ２５に記載の方法。
［Ｃ２８］
基地局がそれらの間で切り替わるすべてのＴＤＤ構成またはすべての前記ＴＤＤ構成のサブセットについてアップリンクであるサブフレームに当たる物理ランダムアクセスチャネル（ＰＲＡＣＨ）リソースのみを使用するように、非レガシーＵＥの挙動を変更すること
を備える、ワイヤレス通信の方法。
［Ｃ２９］
ワイヤレス通信のために構成された装置であって、
メモリと、
前記メモリに結合された少なくとも１つのプロセッサと
を備え、前記少なくとも１つのプロセッサが、
第１のユーザ機器（ＵＥ）のアップリンク送信として受信されることの低減された尤度をもつサブフレームのセットを判断することと、
サブフレームの前記判断されたセット以外のサブフレーム上にアップリンク制御情報（ＵＣＩ）をスケジュールすることによって前記第１のＵＥのアップリンク送信をスケジュールすることと
を行うように構成された、装置。
［Ｃ３０］
前記少なくとも１つのプロセッサが、基地局のダウンリンク通信からの干渉を経験しないサブフレーム上にのみアップリンク制御情報をスケジュールすることによって、前記アップリンク送信をスケジュールするようにさらに構成された、Ｃ２９に記載の装置。
［Ｃ３１］
前記アップリンク制御情報が、ランクインジケータ（ＲＩ）、チャネル品質インジケータ（ＣＱＩ）、サウンディング基準信号（ＳＲＳ）、スケジューリング要求（ＳＲ）、および／または物理ランダムアクセスチャネル（ＰＲＡＣＨ）メッセージを備える、Ｃ２９に記載の装置。
［Ｃ３２］
前記ＰＲＡＣＨメッセージが、すべてのアップリンクＰＲＡＣＨメッセージまたはいくつかのアップリンクＰＲＡＣＨメッセージのみを備える、Ｃ３１に記載の装置。
［Ｃ３３］
前記少なくとも１つのプロセッサは、
基地局からの干渉を受けないアップリンクサブフレーム上に少なくともいくつかのＰＲＡＣＨリソースを有するＰＲＡＣＨ構成を選択することと、
対応するスケジュールされた送信および競合解消の肯定応答（ＡＣＫ）メッセージが、前記基地局からの干渉を受けないアップリンクサブフレーム上で送信されるように、ランダムアクセス応答およびＰＲＡＣＨプロセスの競合解消メッセージをダウンリンクサブフレーム上にスケジュールすることと
を行うようにさらに構成された、Ｃ３２に記載の装置。
［Ｃ３４］
ワイヤレス通信のために構成されたコンピュータプログラム製品であって、
非一時的プログラムコードを記録した非一時的コンピュータ可読媒体を備え、前記プログラムコードが、
第１のユーザ機器（ＵＥ）のアップリンク送信として受信されることの低減された尤度をもつサブフレームのセットを判断するためのプログラムコードと、
サブフレームの前記判断されたセット以外のサブフレーム上にアップリンク制御情報（ＵＣＩ）をスケジュールすることによって前記第１のＵＥのアップリンク送信をスケジュールするためのプログラムコードと
を備える、コンピュータプログラム製品。
［Ｃ３５］
第１のユーザ機器（ＵＥ）のアップリンク送信として受信されることの低減された尤度をもつサブフレームのセットを判断するための手段と、
サブフレームの前記判断されたセット以外のサブフレーム上にアップリンク制御情報（ＵＣＩ）をスケジュールすることによって前記第１のＵＥのアップリンク送信をスケジュールするための手段と
を備える、ワイヤレス通信のための装置。
［Ｃ３６］
ワイヤレス通信のために構成された装置であって、
メモリと、
前記メモリに結合された少なくとも１つのプロセッサと
を備え、前記少なくとも１つのプロセッサは、
第１のユーザ機器（ＵＥ）のダウンリンクデータ送信に対応するアップリンク肯定応答／否定応答（ＡＣＫ／ＮＡＣＫ）メッセージが基地局のダウンリンク通信からの干渉を経験するときを判断することと、
前記ダウンリンクデータ送信に対応する別のアップリンクＡＣＫ／ＮＡＣＫメッセージをトリガするために低減されたサイズのダウンリンク再送信を送信すること、または
アップリンク通信に関連するダウンリンクサブフレームに対してより遅いハイブリッド自動再送要求（ＨＡＲＱ）終了を設定することのいずれかと
を行うように構成された、装置。
［Ｃ３７］
ワイヤレス通信のために構成されたコンピュータプログラム製品であって、
非一時的プログラムコードを記録した非一時的コンピュータ可読媒体を備え、前記プログラムコードは、
第１のユーザ機器（ＵＥ）のダウンリンクデータ送信に対応するアップリンク肯定応答／否定応答（ＡＣＫ／ＮＡＣＫ）メッセージが基地局のダウンリンク通信からの干渉を経験するときを判断するためのプログラムコードと、
前記ダウンリンクデータ送信に対応する別のアップリンクＡＣＫ／ＮＡＣＫメッセージをトリガするために低減されたサイズのダウンリンク再送信を送信するためのプログラムコード、または
アップリンク通信に関連するダウンリンクサブフレームに対してより遅いハイブリッド自動再送要求（ＨＡＲＱ）終了を設定するためのプログラムコードのいずれかと
を備える、コンピュータプログラム製品。
［Ｃ３８］
第１のユーザ機器（ＵＥ）のダウンリンクデータ送信に対応するアップリンク肯定応答／否定応答（ＡＣＫ／ＮＡＣＫ）メッセージが基地局のダウンリンク通信からの干渉を経験するときを判断するための手段と、
前記ダウンリンクデータ送信に対応する別のアップリンクＡＣＫ／ＮＡＣＫメッセージをトリガするために低減されたサイズのダウンリンク再送信を送信するための手段、または
アップリンク通信に関連するダウンリンクサブフレームに対してより遅いハイブリッド自動再送要求（ＨＡＲＱ）終了を設定するための手段のいずれかと
を備える、ワイヤレス通信のための装置。
［Ｃ３９］
ワイヤレス通信のために構成された装置であって、
メモリと、
前記メモリに結合された少なくとも１つのプロセッサと
を備え、前記少なくとも１つのプロセッサは、
第１の時分割複信（ＴＤＤ）構成で動作する第１のユーザ機器（ＵＥ）のアップリンク通信が、前記第１のＴＤＤ構成とは異なる第２のＴＤＤ構成で動作する第２のＵＥのアップリンク通信と衝突し得るときを判断することと、
そのような干渉を回避するためにアップリンクリソースをスケジュールすることまたはマッピングすることと
を行うように構成された、装置。
［Ｃ４０］
前記少なくとも１つのプロセッサが、干渉を回避するために、異なるＴＤＤ構成で動作するＵＥに個別のアップリンク肯定応答／否定応答（ＡＣＫ／ＮＡＣＫ）リソースを割り振ることによって、前記アップリンクリソースをスケジュールするようにさらに構成された、Ｃ３９に記載の装置。
［Ｃ４１］
前記少なくとも１つのプロセッサが、前記異なるＴＤＤ構成で動作するＵＥのための異なる物理アップリンク制御チャネル（ＰＵＣＣＨ）オフセット値を個別のＡＣＫ／ＮＡＣＫリソースに割り当てることによって、前記アップリンクリソースをスケジュールするようにさらに構成された、Ｃ４０に記載の装置。
［Ｃ４２］
ダウンリンクデータ送信に対応するＡＣＫリソースへの少なくとも２つの異なるマッピングが定義され、前記２つの異なるマッピングのうちの少なくとも１つが、前記第２のＴＤＤ構成との干渉を回避する、Ｃ３９に記載の装置。
［Ｃ４３］
前記少なくとも１つのプロセッサが、使用すべきマッピングを前記第１のＵＥにシグナリングするようにさらに構成された、Ｃ４２に記載の装置。
［Ｃ４４］
前記少なくとも１つのプロセッサが、前記第１のＵＥのアップリンクデータ送信と前記第２のＵＥのアップリンクデータ送信間の干渉を回避するために送信または再送信を中断するようにさらに構成された、Ｃ３９に記載の装置。
［Ｃ４５］
前記少なくとも１つのプロセッサが、アップリンク許可を送らないことによって初期送信を中断するようにさらに構成された、Ｃ４４に記載の装置。
［Ｃ４６］
前記少なくとも１つのプロセッサは、前記ＵＥのＡＣＫメッセージが最初に送信されるのか許可が最初に送信されるのか、前記ＵＥが経験するトラフィック状態、前記ＵＥによって仮定された構成が基地局によって使用された構成であるかどうか、および／または前記ＵＥがレガシーＵＥであるかどうか、に少なくとも部分的に基づいて、どのＵＥが中断されるかに優先度を付けるようにさらに構成された、Ｃ４５に記載の装置。
［Ｃ４７］
前記少なくとも１つのプロセッサが、正常に復号されなかったアップリンク送信に対応する再送信を中断するために、前記第１のＵＥにＡＣＫメッセージを送るようにさらに構成された、Ｃ４４に記載の装置。
［Ｃ４８］
前記少なくとも１つのプロセッサは、前記ＵＥのＡＣＫメッセージが最初に送信されるのか許可が最初に送信されるのか、前記ＵＥが経験するトラフィック状態、前記ＵＥによって仮定された構成が基地局によって使用された前記構成であるかどうか、および／または前記ＵＥがレガシーＵＥであるかどうか、に少なくとも部分的に基づいて、どのＵＥが中断されるかに優先度を付けるようにさらに構成された、Ｃ４７に記載の装置。
［Ｃ４９］
ワイヤレス通信のために構成されたコンピュータプログラム製品であって、
非一時的プログラムコードを記録した非一時的コンピュータ可読媒体を備え、前記プログラムコードは、
第１の時分割複信（ＴＤＤ）構成で動作する第１のユーザ機器（ＵＥ）のアップリンク通信が、前記第１のＴＤＤ構成とは異なる第２のＴＤＤ構成で動作する第２のＵＥのアップリンク通信と衝突し得るときを判断するためのプログラムコードと、
そのような干渉を回避するためにアップリンクリソースをスケジュールするかまたはマッピングするためのプログラムコードと
を備える、コンピュータプログラム製品。
［Ｃ５０］
第１の時分割複信（ＴＤＤ）構成で動作する第１のユーザ機器（ＵＥ）のアップリンク通信が、前記第１のＴＤＤ構成とは異なる第２のＴＤＤ構成で動作する第２のＵＥのアップリンク通信と衝突し得るときを判断するための手段と、
そのような干渉を回避するためにアップリンクリソースをスケジュールまたはマッピングするための手段と
を備える、ワイヤレス通信のための装置。
［Ｃ５１］
ワイヤレス通信のために構成された装置であって、
メモリと、
前記メモリに結合された少なくとも１つのプロセッサと
を備え、前記少なくとも１つのプロセッサは、
第１の時分割複信（ＴＤＤ）構成による第１のユーザ機器（ＵＥ）へのダウンリンク肯定応答（ＡＣＫ）リソースが、前記第１のＴＤＤ構成とは異なる第２のＴＤＤ構成による第２のＵＥへのダウンリンクＡＣＫリソースと衝突し得るときを判断することと、
干渉を回避するために、アップリンクデータリソースをスケジュールすること、または少なくとも１つのＵＥのＡＣＫ／ＮＡＣＫリソースのための新しいマッピングを定義することと
を行うように構成された、装置。
［Ｃ５２］
前記アップリンクデータリソースが復調基準信号（ＤＭ−ＲＳ）シーケンスおよび／または割り振られたリソースブロック（ＲＢ）を備える、Ｃ５１に記載の装置。
［Ｃ５３］
ワイヤレス通信のために構成されたコンピュータプログラム製品であって、
非一時的プログラムコードを記録した非一時的コンピュータ可読媒体を備え、前記プログラムコードは、
第１の時分割複信（ＴＤＤ）構成による第１のユーザ機器（ＵＥ）へのダウンリンク肯定応答（ＡＣＫ）リソースが、前記第１のＴＤＤ構成とは異なる第２のＴＤＤ構成による第２のＵＥへのダウンリンクＡＣＫリソースと衝突し得るときを判断するためのプログラムコードと、
干渉を回避するために、アップリンクデータリソースをスケジュールするか、または少なくとも１つのＵＥのＡＣＫ／ＮＡＣＫリソースのための新しいマッピングを定義するためのプログラムコードと
を備える、コンピュータプログラム製品。
［Ｃ５４］
第１の時分割複信（ＴＤＤ）構成による第１のユーザ機器（ＵＥ）へのダウンリンク肯定応答（ＡＣＫ）リソースが、前記第１のＴＤＤ構成とは異なる第２のＴＤＤ構成による第２のＵＥへのダウンリンクＡＣＫリソースと衝突し得るときを判断するための手段と、  干渉を回避するために、アップリンクデータリソースをスケジュールするか、または少なくとも１つのＵＥのＡＣＫ／ＮＡＣＫリソースのための新しいマッピングを定義するための手段と
を備える、ワイヤレス通信のための装置。
［Ｃ５５］
ワイヤレス通信のために構成された装置であって、
メモリと、
前記メモリに結合された少なくとも１つのプロセッサと
を備え、前記少なくとも１つのプロセッサは、
基地局がそれらの間で切り替わるすべての時分割複信（ＴＤＤ）構成、または前記基地局がそれらの間で切り替わるすべての前記ＴＤＤ構成のサブセットについてアップリンクサブフレームであるサブフレームのみを備える物理ランダムアクセスチャネル（ＰＲＡＣＨ）リソースを有するＰＲＡＣＨ構成を広告するように構成された、装置。
［Ｃ５６］
前記ＰＲＡＣＨ構成がレガシーユーザ機器（ＵＥ）において利用不可能である、Ｃ５５に記載の装置。
［Ｃ５７］
前記少なくとも１つのプロセッサは、
対応するスケジュールされた送信およびＰＲＡＣＨプロセスの競合解消メッセージに対する肯定応答（ＡＣＫ）メッセージが、基地局がそれらの間で切り替わる時分割複信（ＴＤＤ）構成の全セット、または前記基地局がそれらの間で切り替わるＴＤＤ構成の全セットのサブセットについてアップリンクサブフレームであるサブフレーム上で送信されるように、ランダムアクセス応答および前記競合解消メッセージをダウンリンクサブフレーム上にスケジュールすること、あるいは
前記スケジュールされた送信と前記競合解消メッセージの前記ＡＣＫメッセージとのための新しいタイムラインを定義すること、前記新しいタイムラインは、前記基地局がそれらの間で切り替わるＴＤＤ構成の前記全セット、または前記基地局がそれらの間で切り替わるＴＤＤ構成の前記全セットのサブセットについてアップリンクサブフレームであるサブフレーム上での送信を含む、
を行うようにさらに構成された、Ｃ５５に記載の装置。
［Ｃ５８］
ワイヤレス通信のために構成されたコンピュータプログラム製品であって、
非一時的プログラムコードを記録した非一時的コンピュータ可読媒体を備え、前記プログラムコードは、
基地局がそれらの間で切り替わるすべての時分割複信（ＴＤＤ）構成、または前記基地局がそれらの間で切り替わるすべての前記ＴＤＤ構成のサブセットについてアップリンクサブフレームであるサブフレームのみを備える物理ランダムアクセスチャネル（ＰＲＡＣＨ）リソースを有するＰＲＡＣＨ構成を広告するためのプログラムコード
を備える、コンピュータプログラム製品。
［Ｃ５９］
基地局がそれらの間で切り替わるすべての時分割複信（ＴＤＤ）構成、または前記基地局がそれらの間で切り替わるすべての前記ＴＤＤ構成のサブセットについてアップリンクサブフレームであるサブフレームのみを備える物理ランダムアクセスチャネル（ＰＲＡＣＨ）リソースを有するＰＲＡＣＨ構成を判断するための手段と、
前記ＰＲＡＣＨ構成を広告するための手段と
を備える、ワイヤレス通信のための装置。
［Ｃ６０］
ワイヤレス通信のために構成された装置であって、
メモリと、
前記メモリに結合された少なくとも１つのプロセッサと
を備え、前記少なくとも１つのプロセッサは、
基地局がそれらの間で切り替わるすべてのＴＤＤ構成またはすべての前記ＴＤＤ構成のサブセットについてアップリンクであるサブフレームに当たる物理ランダムアクセスチャネル（ＰＲＡＣＨ）リソースのみを使用するように、非レガシーＵＥの挙動を変更するように構成された、装置。
［Ｃ６１］
ワイヤレス通信のために構成されたコンピュータプログラム製品であって、
非一時的プログラムコードを記録した非一時的コンピュータ可読媒体を備え、前記プログラムコードは、
基地局がそれらの間で切り替わるすべてのＴＤＤ構成またはすべての前記ＴＤＤ構成のサブセットについてアップリンクであるサブフレームに当たる物理ランダムアクセスチャネル（ＰＲＡＣＨ）リソースのみを使用するように、非レガシーＵＥの挙動を変更するためのプログラムコード
を備える、コンピュータプログラム製品。
［Ｃ６２］
基地局がそれらの間で切り替わるすべてのＴＤＤ構成またはすべての前記ＴＤＤ構成のサブセットについてアップリンクであるサブフレームに当たる物理ランダムアクセスチャネル（ＰＲＡＣＨ）リソースのみを使用するように、非レガシーＵＥの挙動を変更するための手段
を備える、ワイヤレス通信のための装置。
【図１】
2020014238.tif 000004
【図２】
2020014238.tif 000005
【図３】
2020014238.tif 000006
【図４】
2020014238.tif 000007
【図５】
2020014238.tif 000008
【図６】
2020014238.tif 000009
【図７】
2020014238.tif 000010
【図８】
2020014238.tif 000011
【図９】
2020014238.tif 000012
【図１０】
2020014238.tif 000013
【図１１】
2020014238.tif 000014
【図１２】
2020014238.tif 000015
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
第１の時分割複信（ＴＤＤ）構成で動作する第１のユーザ機器（ＵＥ）のアップリンク通信が、前記第１のＴＤＤ構成とは異なる第２のＴＤＤ構成で動作する第２のＵＥのアップリンク通信と衝突し得るときを判断することと、
干渉を回避するためにアップリンクリソースをスケジュールすることまたはマッピングすることと
を備える、ワイヤレス通信の方法。
【請求項２】
前記スケジュールすることが、干渉を回避するために、異なるＴＤＤ構成で動作するＵＥに個別のアップリンク肯定応答／否定応答（ＡＣＫ／ＮＡＣＫ）リソースを割り振ることを備える、請求項１に記載の方法。
【請求項３】
前記スケジュールすることが、前記異なるＴＤＤ構成で動作するＵＥのための異なる物理アップリンク制御チャネル（ＰＵＣＣＨ）オフセット値を個別のＡＣＫ／ＮＡＣＫリソースに割り当てることを備える、請求項２に記載の方法。
【請求項４】
ダウンリンクデータ送信に対応するＡＣＫリソースへの少なくとも２つの異なるマッピングが定義され、前記２つの異なるマッピングのうちの少なくとも１つが、前記第２のＴＤＤ構成との干渉を回避する、請求項１に記載の方法。
【請求項５】
使用すべきマッピングを前記第１のＵＥにシグナリングすることをさらに備える、請求項４に記載の方法。
【請求項６】
前記第１のＵＥのアップリンクデータ送信と前記第２のＵＥのアップリンクデータ送信間の干渉を回避するために送信または再送信を中断することをさらに備える、請求項１に記載の方法。
【請求項７】
アップリンク許可を送らないことによって初期送信を中断することをさらに備える、請求項６に記載の方法。
【請求項８】
前記ＵＥのＡＣＫメッセージが最初に送信されるのか許可が最初に送信されるのか、前記ＵＥが経験するトラフィック状態、前記ＵＥによって仮定された構成が基地局によって使用された構成であるかどうか、および／または前記ＵＥがレガシーＵＥであるかどうか、に少なくとも部分的に基づいて、どのＵＥが中断されるかに優先度を付けることをさらに備える、請求項７に記載の方法。
【請求項９】
正常に復号されなかったアップリンク送信に対応する再送信を中断するために、前記第１のＵＥにＡＣＫメッセージを送ることをさらに備える、請求項６に記載の方法。
【請求項１０】
前記ＵＥのＡＣＫメッセージが最初に送信されるのか許可が最初に送信されるのか、前記ＵＥが経験するトラフィック状態、前記ＵＥによって仮定された構成が基地局によって使用された前記構成であるかどうか、および／または前記ＵＥがレガシーＵＥであるかどうか、に少なくとも部分的に基づいて、どのＵＥが中断されるかに優先度を付けることをさらに備える、請求項９に記載の方法。
【請求項１１】
第１の時分割複信（ＴＤＤ）構成による第１のユーザ機器（ＵＥ）へのダウンリンク肯定応答（ＡＣＫ）リソースが、前記第１のＴＤＤ構成とは異なる第２のＴＤＤ構成による第２のＵＥへのダウンリンクＡＣＫリソースと干渉し得るときを判断することと、
干渉を回避するために、アップリンクデータリソースをスケジュールすること、または少なくとも１つのＵＥのＡＣＫ／ＮＡＣＫリソースのための新しいマッピングを定義することと
を備える、ワイヤレス通信の方法。
【請求項１２】
前記アップリンクデータリソースが復調基準信号（ＤＭ−ＲＳ）シーケンスおよび／または割り振られたリソースブロック（ＲＢ）を備える、請求項１１に記載の方法。
【請求項１３】
前記アップリンクデータリソースがＩＰＨＩＣＨパラメータを備え、前記ＩＰＨＩＣＨパラメータがとる値の量が、通信仕様によって規定された値の数を超える、請求項１１に記載の方法。
【請求項１４】
基地局がそれらの間で切り替わるすべての時分割複信（ＴＤＤ）構成、または前記基地局がそれらの間で切り替わるすべての前記ＴＤＤ構成のサブセットについてアップリンクサブフレームであるサブフレームのみを備える物理ランダムアクセスチャネル（ＰＲＡＣＨ）リソースを有するＰＲＡＣＨ構成を広告すること
を備える、ワイヤレス通信の方法。
【請求項１５】
前記ＰＲＡＣＨ構成がレガシーユーザ機器（ＵＥ）において利用不可能である、請求項１４に記載の方法。
【請求項１６】
対応するスケジュールされた送信およびＰＲＡＣＨプロセスの競合解消メッセージに対する肯定応答（ＡＣＫ）メッセージが、基地局がそれらの間で切り替わる時分割複信（ＴＤＤ）構成の全セット、または前記基地局がそれらの間で切り替わるＴＤＤ構成の全セットのサブセットについてアップリンクサブフレームであるサブフレーム上で送信されるように、ランダムアクセス応答および前記競合解消メッセージをダウンリンクサブフレーム上にスケジュールすること、あるいは
前記スケジュールされた送信と前記競合解消メッセージの前記ＡＣＫメッセージとのための新しいタイムラインを定義すること、前記新しいタイムラインは、前記基地局がそれらの間で切り替わるＴＤＤ構成の前記全セット、または前記基地局がそれらの間で切り替わるＴＤＤ構成の前記全セットのサブセットについてアップリンクサブフレームであるサブフレーム上での送信を含む、のいずれか
をさらに備える、請求項１４に記載の方法。
【請求項１７】
基地局がそれらの間で切り替わるすべてのＴＤＤ構成またはすべての前記ＴＤＤ構成のサブセットについてアップリンクであるサブフレームに当たる物理ランダムアクセスチャネル（ＰＲＡＣＨ）リソースのみを使用するように、非レガシーＵＥの挙動を変更すること
を備える、ワイヤレス通信の方法。
【請求項１８】
ワイヤレス通信のために構成された装置であって、
メモリと、
前記メモリに結合された少なくとも１つのプロセッサと
を備え、前記少なくとも１つのプロセッサは、
第１の時分割複信（ＴＤＤ）構成で動作する第１のユーザ機器（ＵＥ）のアップリンク通信が、前記第１のＴＤＤ構成とは異なる第２のＴＤＤ構成で動作する第２のＵＥのアップリンク通信と衝突し得るときを判断することと、
そのような干渉を回避するためにアップリンクリソースをスケジュールすることまたはマッピングすることと
を行うように構成された、装置。
【請求項１９】
前記少なくとも１つのプロセッサが、干渉を回避するために、異なるＴＤＤ構成で動作するＵＥに個別のアップリンク肯定応答／否定応答（ＡＣＫ／ＮＡＣＫ）リソースを割り振ることによって、前記アップリンクリソースをスケジュールするようにさらに構成された、請求項１８に記載の装置。
【請求項２０】
前記少なくとも１つのプロセッサが、前記異なるＴＤＤ構成で動作するＵＥのための異なる物理アップリンク制御チャネル（ＰＵＣＣＨ）オフセット値を個別のＡＣＫ／ＮＡＣＫリソースに割り当てることによって、前記アップリンクリソースをスケジュールするようにさらに構成された、請求項１９に記載の装置。
【請求項２１】
ダウンリンクデータ送信に対応するＡＣＫリソースへの少なくとも２つの異なるマッピングが定義され、前記２つの異なるマッピングのうちの少なくとも１つが、前記第２のＴＤＤ構成との干渉を回避する、請求項１８に記載の装置。
【請求項２２】
前記少なくとも１つのプロセッサが、使用すべきマッピングを前記第１のＵＥにシグナリングするようにさらに構成された、請求項２１に記載の装置。
【請求項２３】
前記少なくとも１つのプロセッサが、前記第１のＵＥのアップリンクデータ送信と前記第２のＵＥのアップリンクデータ送信間の干渉を回避するために送信または再送信を中断するようにさらに構成された、請求項１８に記載の装置。
【請求項２４】
前記少なくとも１つのプロセッサが、アップリンク許可を送らないことによって初期送信を中断するようにさらに構成された、請求項２３に記載の装置。
【請求項２５】
前記少なくとも１つのプロセッサは、前記ＵＥのＡＣＫメッセージが最初に送信されるのか許可が最初に送信されるのか、前記ＵＥが経験するトラフィック状態、前記ＵＥによって仮定された構成が基地局によって使用された構成であるかどうか、および／または前記ＵＥがレガシーＵＥであるかどうか、に少なくとも部分的に基づいて、どのＵＥが中断されるかに優先度を付けるようにさらに構成された、請求項２４に記載の装置。
【請求項２６】
前記少なくとも１つのプロセッサが、正常に復号されなかったアップリンク送信に対応する再送信を中断するために、前記第１のＵＥにＡＣＫメッセージを送るようにさらに構成された、請求項２３に記載の装置。
【請求項２７】
前記少なくとも１つのプロセッサは、前記ＵＥのＡＣＫメッセージが最初に送信されるのか許可が最初に送信されるのか、前記ＵＥが経験するトラフィック状態、前記ＵＥによって仮定された構成が基地局によって使用された前記構成であるかどうか、および／または前記ＵＥがレガシーＵＥであるかどうか、に少なくとも部分的に基づいて、どのＵＥが中断されるかに優先度を付けるようにさらに構成された、請求項２６に記載の装置。
【請求項２８】
ワイヤレス通信のために構成されたコンピュータプログラム製品であって、
非一時的プログラムコードを記録した非一時的コンピュータ可読媒体を備え、前記プログラムコードは、
第１の時分割複信（ＴＤＤ）構成で動作する第１のユーザ機器（ＵＥ）のアップリンク通信が、前記第１のＴＤＤ構成とは異なる第２のＴＤＤ構成で動作する第２のＵＥのアップリンク通信と衝突し得るときを判断するためのプログラムコードと、
そのような干渉を回避するためにアップリンクリソースをスケジュールするかまたはマッピングするためのプログラムコードと
を備える、コンピュータプログラム製品。
【請求項２９】
第１の時分割複信（ＴＤＤ）構成で動作する第１のユーザ機器（ＵＥ）のアップリンク通信が、前記第１のＴＤＤ構成とは異なる第２のＴＤＤ構成で動作する第２のＵＥのアップリンク通信と衝突し得るときを判断するための手段と、
そのような干渉を回避するためにアップリンクリソースをスケジュールまたはマッピングするための手段と
を備える、ワイヤレス通信のための装置。
【請求項３０】
ワイヤレス通信のために構成された装置であって、
メモリと、
前記メモリに結合された少なくとも１つのプロセッサと
を備え、前記少なくとも１つのプロセッサは、
第１の時分割複信（ＴＤＤ）構成による第１のユーザ機器（ＵＥ）へのダウンリンク肯定応答（ＡＣＫ）リソースが、前記第１のＴＤＤ構成とは異なる第２のＴＤＤ構成による第２のＵＥへのダウンリンクＡＣＫリソースと衝突し得るときを判断することと、
干渉を回避するために、アップリンクデータリソースをスケジュールすること、または少なくとも１つのＵＥのＡＣＫ／ＮＡＣＫリソースのための新しいマッピングを定義することと
を行うように構成された、装置。
【請求項３１】
前記アップリンクデータリソースが復調基準信号（ＤＭ−ＲＳ）シーケンスおよび／または割り振られたリソースブロック（ＲＢ）を備える、請求項３０に記載の装置。
【請求項３２】
ワイヤレス通信のために構成されたコンピュータプログラム製品であって、
非一時的プログラムコードを記録した非一時的コンピュータ可読媒体を備え、前記プログラムコードは、
第１の時分割複信（ＴＤＤ）構成による第１のユーザ機器（ＵＥ）へのダウンリンク肯定応答（ＡＣＫ）リソースが、前記第１のＴＤＤ構成とは異なる第２のＴＤＤ構成による第２のＵＥへのダウンリンクＡＣＫリソースと衝突し得るときを判断するためのプログラムコードと、
干渉を回避するために、アップリンクデータリソースをスケジュールするか、または少なくとも１つのＵＥのＡＣＫ／ＮＡＣＫリソースのための新しいマッピングを定義するためのプログラムコードと
を備える、コンピュータプログラム製品。
【請求項３３】
第１の時分割複信（ＴＤＤ）構成による第１のユーザ機器（ＵＥ）へのダウンリンク肯定応答（ＡＣＫ）リソースが、前記第１のＴＤＤ構成とは異なる第２のＴＤＤ構成による第２のＵＥへのダウンリンクＡＣＫリソースと衝突し得るときを判断するための手段と、
干渉を回避するために、アップリンクデータリソースをスケジュールするか、または少なくとも１つのＵＥのＡＣＫ／ＮＡＣＫリソースのための新しいマッピングを定義するための手段と
を備える、ワイヤレス通信のための装置。
【請求項３４】
ワイヤレス通信のために構成された装置であって、
メモリと、
前記メモリに結合された少なくとも１つのプロセッサと
を備え、前記少なくとも１つのプロセッサは、
基地局がそれらの間で切り替わるすべての時分割複信（ＴＤＤ）構成、または前記基地局がそれらの間で切り替わるすべての前記ＴＤＤ構成のサブセットについてアップリンクサブフレームであるサブフレームのみを備える物理ランダムアクセスチャネル（ＰＲＡＣＨ）リソースを有するＰＲＡＣＨ構成を広告するように構成された、装置。
【請求項３５】
前記ＰＲＡＣＨ構成がレガシーユーザ機器（ＵＥ）において利用不可能である、請求項３４に記載の装置。
【請求項３６】
前記少なくとも１つのプロセッサは、
対応するスケジュールされた送信およびＰＲＡＣＨプロセスの競合解消メッセージに対する肯定応答（ＡＣＫ）メッセージが、基地局がそれらの間で切り替わる時分割複信（ＴＤＤ）構成の全セット、または前記基地局がそれらの間で切り替わるＴＤＤ構成の全セットのサブセットについてアップリンクサブフレームであるサブフレーム上で送信されるように、ランダムアクセス応答および前記競合解消メッセージをダウンリンクサブフレーム上にスケジュールすること、あるいは
前記スケジュールされた送信と前記競合解消メッセージの前記ＡＣＫメッセージとのための新しいタイムラインを定義すること、前記新しいタイムラインは、前記基地局がそれらの間で切り替わるＴＤＤ構成の前記全セット、または前記基地局がそれらの間で切り替わるＴＤＤ構成の前記全セットのサブセットについてアップリンクサブフレームであるサブフレーム上での送信を含む、
を行うようにさらに構成された、請求項３４に記載の装置。
【請求項３７】
ワイヤレス通信のために構成されたコンピュータプログラム製品であって、
非一時的プログラムコードを記録した非一時的コンピュータ可読媒体を備え、前記プログラムコードは、
基地局がそれらの間で切り替わるすべての時分割複信（ＴＤＤ）構成、または前記基地局がそれらの間で切り替わるすべての前記ＴＤＤ構成のサブセットについてアップリンクサブフレームであるサブフレームのみを備える物理ランダムアクセスチャネル（ＰＲＡＣＨ）リソースを有するＰＲＡＣＨ構成を広告するためのプログラムコード
を備える、コンピュータプログラム製品。
【請求項３８】
基地局がそれらの間で切り替わるすべての時分割複信（ＴＤＤ）構成、または前記基地局がそれらの間で切り替わるすべての前記ＴＤＤ構成のサブセットについてアップリンクサブフレームであるサブフレームのみを備える物理ランダムアクセスチャネル（ＰＲＡＣＨ）リソースを有するＰＲＡＣＨ構成を判断するための手段と、
前記ＰＲＡＣＨ構成を広告するための手段と
を備える、ワイヤレス通信のための装置。
【請求項３９】
ワイヤレス通信のために構成された装置であって、
メモリと、
前記メモリに結合された少なくとも１つのプロセッサと
を備え、前記少なくとも１つのプロセッサは、
基地局がそれらの間で切り替わるすべてのＴＤＤ構成またはすべての前記ＴＤＤ構成のサブセットについてアップリンクであるサブフレームに当たる物理ランダムアクセスチャネル（ＰＲＡＣＨ）リソースのみを使用するように、非レガシーＵＥの挙動を変更するように構成された、装置。
【請求項４０】
ワイヤレス通信のために構成されたコンピュータプログラム製品であって、
非一時的プログラムコードを記録した非一時的コンピュータ可読媒体を備え、前記プログラムコードは、
基地局がそれらの間で切り替わるすべてのＴＤＤ構成またはすべての前記ＴＤＤ構成のサブセットについてアップリンクであるサブフレームに当たる物理ランダムアクセスチャネル（ＰＲＡＣＨ）リソースのみを使用するように、非レガシーＵＥの挙動を変更するためのプログラムコード
を備える、コンピュータプログラム製品。
【請求項４１】
基地局がそれらの間で切り替わるすべてのＴＤＤ構成またはすべての前記ＴＤＤ構成のサブセットについてアップリンクであるサブフレームに当たる物理ランダムアクセスチャネル（ＰＲＡＣＨ）リソースのみを使用するように、非レガシーＵＥの挙動を変更するための手段
を備える、ワイヤレス通信のための装置。